(57)【要約】【課題】本発明の課題は、通信回線を介して配信されるデジタルコンテンツデータについて、データを処理する機器において複雑な処理をすることなく、著作権の保護を可能にすることである。【解決手段】本発明に係る配信システム１において、配信装置１１は、デジタル音楽データを配信する際に、配信用のデータであることを示す埋込データをデジタル音楽データ埋め込んで配信する。そして、データ再生装置１２は、ネットワークＮを介して受信したデジタル音楽データについては、配信用のデジタル音楽データであることを示す埋込データが埋め込まれている場合にのみ、再生を行う。また、データ記録装置１５は、ネットワークＮを介して受信したデジタル音楽データについては、配信用のデータであることと、複製が許諾されていることを示す埋込データが埋め込まれている場合に限り、記録用メディアドライブ１５２によって該デジタル音楽データを記録媒体に記録する。【選択図】　　　　図１
2004139252.tif 000002
【特許請求の範囲】
【請求項１】
通信回線を介して受信したコンテンツデータに含まれる電子透かし情報を識別する電子透かし情報識別手段を備え、
前記電子透かし情報識別手段は、前記コンテンツデータに当該コンテンツデータが配信用のデータであることを示す電子透かし情報が含まれているか否かを識別することを特徴とする電子透かし情報識別装置。
【請求項２】
通信回線を介して受信したコンテンツデータに含まれる電子透かし情報を識別する電子透かし情報識別手段を備え、
前記電子透かし情報識別手段は、前記コンテンツデータに所定の電子透かし情報が含まれていない場合は当該コンテンツデータを配信用のデータではないと識別することを特徴とする電子透かし情報識別装置。
【請求項３】
通信回線を介して受信したコンテンツデータに含まれる電子透かし情報を識別する電子透かし情報識別手段を備え、
前記電子透かし情報識別手段は、前記電子透かし情報が電子配信を許諾することを示す情報であるか否かを識別することを特徴とする電子透かし情報識別装置。
【請求項４】
前記電子透かし情報識別手段は、前記電子透かし情報が電子配信を許諾しないことを示す情報であるか否かを識別することを特徴とする請求項３記載の電子透かし情報識別装置。
【請求項５】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに当該コンテンツデータが配信用のデータであることを示す電子透かし情報が含まれているか否かを識別し、この識別結果に基づいて前記記録手段による当該コンテンツデータの記録を制御する記録制御手段を備えることを特徴とするデータ記録装置。
【請求項６】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに所定の電子透かし情報が含まれていない場合は当該コンテンツデータが配信用のデータでないと判別して、前記記録手段による当該コンテンツデータの記録を阻止する記録制御手段を備えることを特徴とするデータ記録装置。
【請求項７】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに当該コンテンツデータの電子配信を許諾することを示す電子透かし情報が含まれていた場合は、前記記録手段による当該コンテンツデータの記録を許可する記録制御手段を備えることを特徴とするデータ記録装置。
【請求項８】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに当該コンテンツデータの電子配信を許諾しないことを示す電子透かし情報が含まれていた場合は、前記記録手段による当該コンテンツデータの記録を阻止する記録制御手段を備えることを特徴とするデータ記録装置。
【請求項９】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに当該コンテンツデータが一世代に限って複製を許諾することを示す電子透かし情報が含まれていた場合は、当該コンテンツデータの受信装置内での記録を可能とすると共に、当該受信装置内への記録時に前記電子透かし情報を複製を禁止することを示す情報に書き換える記録制御手段を備えることを特徴とするデータ記録装置。
【請求項１０】
通信回線を介してコンテンツデータを受信する受信手段と、
この受信手段により受信されたコンテンツデータを記録媒体に記録する記録手段とを備えるデータ記録装置において、
前記受信手段により受信されたコンテンツデータに当該コンテンツデータが一世代に限って複製を許諾することを示す電子透かし情報が含まれていた場合は、当該コンテンツデータの受信装置内での記録を可能とすると共に、外部機器への出力の際には前記電子透かし情報を複製を禁止することを示す情報に書き換える記録制御手段を備えることを特徴とするデータ記録装置。
【請求項１１】
通信回線を介してコンテンツデータを受信する受信手段と、
この受信手段により受信されたコンテンツデータを再生する再生手段とを備えるデータ再生装置において、
前記受信手段により受信されたコンテンツデータに当該コンテンツデータが配信用のデータであることを示す電子透かし情報が含まれているか否かを識別し、この識別結果に基づいて前記再生手段による当該コンテンツデータの再生を制御する再生制御手段を備えることを特徴とするデータ再生装置。
【請求項１２】
通信回線を介してコンテンツデータを受信する受信手段と、
この受信手段により受信されたコンテンツデータを再生する再生手段とを備えるデータ再生装置において、
前記受信手段により受信されたコンテンツデータに所定の電子透かし情報が含まれていない場合は当該コンテンツデータが配信用のデータでないと判別して、前記再生手段による当該コンテンツデータの再生を阻止する再生制御手段を備えることを特徴とするデータ再生装置。
【請求項１３】
通信回線を介してコンテンツデータを受信する受信手段と、
この受信手段により受信されたコンテンツデータを再生する再生手段とを備えるデータ再生装置において、
前記受信手段により受信されたコンテンツデータに当該コンテンツデータが電子配信を許諾するデータであることを示す電子透かし情報が含まれていた場合は、前記再生手段による当該コンテンツデータの再生を許可する再生制御手段を備えることを特徴とするデータ再生装置。
【請求項１４】
通信回線を介してコンテンツデータを受信する受信手段と、
この受信手段により受信されたコンテンツデータを再生する再生手段とを備えるデータ再生装置において、
前記受信手段により受信されたコンテンツデータに当該コンテンツデータが電子配信を許諾するデータであることを示す電子透かし情報が含まれていない場合は、前記再生手段による当該コンテンツデータの再生を阻止する再生制御手段を備えることを特徴とするデータ再生装置。
【請求項１５】
通信回線を介してコンテンツデータを受信する受信手段と、
この受信手段により受信されたコンテンツデータを出力する出力手段とを備えるデータ出力装置において、
前記受信手段により受信されたコンテンツデータに当該コンテンツデータが配信用のデータであることを示す電子透かし情報が含まれているか否かを識別し、この識別結果に基づいて前記出力手段による当該コンテンツデータの出力を制御する出力制御手段を備えることを特徴とするデータ出力装置。
【請求項１６】
通信回線を介してコンテンツデータを受信する受信手段と、
この受信手段により受信されたコンテンツデータを出力する出力手段とを備えるデータ出力装置において、
前記受信手段により受信されたコンテンツデータに所定の電子透かし情報が含まれていない場合は当該コンテンツデータが配信用のデータでないと判別して、前記出力手段による当該コンテンツデータの出力を阻止する出力制御手段を備えることを特徴とするデータ出力装置。
【請求項１７】
通信回線を介してコンテンツデータを受信する受信手段と、
この受信手段により受信されたコンテンツデータを出力する出力手段とを備えるデータ出力装置において、
前記受信手段により受信されたコンテンツデータに当該コンテンツデータの電子配信を許諾することを示す電子透かし情報が含まれていた場合は、前記出力手段による当該コンテンツデータの出力を許可する出力制御手段を備えることを特徴とするデータ出力装置。
【請求項１８】
通信回線を介してコンテンツデータを受信する受信手段と、
この受信手段により受信されたコンテンツデータを出力する出力手段とを備えるデータ出力装置において、
前記受信手段により受信されたコンテンツデータに当該コンテンツデータの電子配信を許諾しないことを示す電子透かし情報が含まれていた場合は、前記出力手段による当該コンテンツデータの出力を阻止する出力制御手段を備えることを特徴とするデータ出力装置。
【請求項１９】
通信回線を介してコンテンツデータを受信する受信手段と、
この受信手段により受信されたコンテンツデータを出力する出力手段とを備えるデータ出力装置において、
前記受信手段により受信されたコンテンツデータに当該コンテンツデータが一世代に限って複製を許諾することを示す電子透かし情報が含まれていた場合は、前記出力手段による当該コンテンツデータの出力を許可する出力制御手段を備えることを特徴とするデータ出力装置。
【請求項２０】
前記出力手段は、前記受信手段により受信されたコンテンツデータに含まれる電子透かし情報を、当該コンテンツデータの複製を禁止することを示す情報を含む電子透かし情報に書き換えて出力することを特徴とする請求項１５〜１９の何れか一項に記載のデータ出力装置。
【請求項２１】
前記出力手段による前記コンテンツデータの出力は、再生、記録若しくは通信回線を介した送信のための出力であることを特徴とする請求項１５〜２０の何れか一項に記載のデータ出力装置。
【請求項２２】
通信回線を介して複数の受信端末と接続され、複数のコンテンツデータを保持し、前記受信端末からの要求に応じてコンテンツデータを受信端末に配信する配信装置であって、
前記コンテンツデータに配信用のデータであることを示す情報を電子透かし情報として含ませて前記受信端末に配信することを特徴とする配信装置。
【請求項２３】
通信回線を介してコンテンツデータを配信する配信装置と、この配信装置に対して前記通信回線を介して接続されるデータ出力装置とを備えてなる配信システムにおいて、
前記配信装置は、前記コンテンツデータに所定のデータを電子透かし情報として含ませて配信するものであり、
前記データ出力装置は、
前記通信回線を介してコンテンツデータを受信する受信手段と、
前記受信手段により受信されたコンテンツデータを出力する出力手段と、
前記受信手段により受信されたコンテンツデータに当該コンテンツデータが配信用のデータであることを示す電子透かし情報が含まれているか否かを識別し、この識別結果に基づいて前記出力手段による当該コンテンツデータの出力を制御する出力制御手段と、を備えることを特徴とする配信システム。
【請求項２４】
通信回線を介してコンテンツデータを配信する配信装置と、この配信装置に対して前記通信回線を介して接続されるデータ出力装置とを備えてなる配信システムにおいて、
前記配信装置は、前記コンテンツデータに電子配信を許諾するデータであることを示す電子透かし情報を含ませて配信するものであり、
前記データ出力装置は、
前記通信回線を介してコンテンツデータを受信する受信手段と、
前記受信手段により受信されたコンテンツデータを出力する出力手段と、
前記受信手段により受信されたコンテンツデータに当該コンテンツデータが電子配信を許諾するデータであることを示す電子透かし情報が含まれていた場合、前記出力手段による当該コンテンツデータの出力を許可する出力制御手段と、を備えることを特徴とする配信システム。
【請求項２５】
通信回線を介してコンテンツデータを配信する配信装置と、この配信装置に対して前記通信回線を介して接続されるデータ出力装置とを備えてなる配信システムにおいて、
前記配信装置は、前記コンテンツデータに電子配信を許諾しないデータであることを示す電子透かし情報を含ませて配信するものであり、
前記データ出力装置は、
前記通信回線を介してコンテンツデータを受信する受信手段と、
前記受信手段により受信されたコンテンツデータを出力する出力手段と、
前記受信手段により受信されたコンテンツデータに当該コンテンツデータが電子配信を許諾しないデータであることを示す電子透かし情報が含まれていた場合、前記出力手段による当該コンテンツデータの出力を阻止する出力制御手段と、を備えることを特徴とする配信システム。
【請求項２６】
通信回線を介してコンテンツデータを配信する配信装置と、この配信装置に対して前記通信回線を介して接続されるデータ出力装置とを備えてなる配信システムにおいて、
前記配信装置は、前記コンテンツデータに一世代に限って複製を許諾するデータであることを示す電子透かし情報を含ませて配信するものであり、
前記データ出力装置は、
前記通信回線を介してコンテンツデータを受信する受信手段と、
前記受信手段により受信されたコンテンツデータを出力する出力手段と、
前記受信手段により受信されたコンテンツデータに当該コンテンツデータが一世代に限って複製を許諾するデータであることを示す電子透かし情報が含まれていた場合、前記出力手段による当該コンテンツデータの出力を許可する出力制御手段と、を備えることを特徴とする配信システム。
【請求項２７】
通信回線を介して送受信可能なコンテンツデータであって、
電子透かし情報を保持しており、該電子透かし情報には、当該コンテンツデータが配信用のデータであることを識別するための識別情報が保持されていることを特徴とするコンテンツデータ。
【請求項２８】
通信回線を介して送受信可能なコンテンツデータであって、
電子透かし情報を保持しており、該電子透かし情報には、当該コンテンツデータが配信用のデータであることを識別するための識別情報が保持され、この識別情報は、当該コンテンツデータを受信した装置において所定の動作が制御されるように設定された情報であることを特徴とするコンテンツデータ。
【請求項２９】
前記電子透かし情報に、当該コンテンツデータが前記通信回線を介して配信される配信用のデータであることを示す情報が含まれていない場合、前記識別情報は、当該コンテンツデータを出力する装置において当該コンテンツデータの出力が不可能となるように設定された情報であることを特徴とする請求項２７又は２８記載のコンテンツデータ。
【請求項３０】
前記電子透かし情報に、当該コンテンツデータの複製を許諾することを示す情報が含まれている場合、前記識別情報は、当該コンテンツデータを出力する装置において当該コンテンツデータの出力が可能となるように設定された情報であることを特徴とする請求項２７又は２８記載のコンテンツデータ。
【請求項３１】
前記電子透かし情報に、当該コンテンツデータの複製を一世代に限って許諾することを示す情報が含まれている場合、前記識別情報は、当該コンテンツデータを出力する装置において当該コンテンツデータの出力が可能となるように設定された情報であることを特徴とする請求項２７又は２８記載のコンテンツデータ。
【請求項３２】
前記電子透かし情報に、当該コンテンツデータの複製が制限されないことを示す情報が含まれている場合、前記識別情報は、当該コンテンツデータを出力する装置において当該コンテンツデータの出力が可能となるように設定された情報であることを特徴とする請求項２７又は２８記載のコンテンツデータ。
【請求項３３】
コンテンツデータに電子透かし情報を付加する情報付加手段を備え、
前記情報付加手段は、パッケージ販売用の記録媒体から読み出されたコンテンツデータに、当該コンテンツデータの複製を禁止することを示す情報を含む電子透かし情報を付加することを特徴とする情報付加装置。
【請求項３４】
前記情報付加手段は、通信回線を介して送信されるコンテンツデータに、当該コンテンツデータの複製を禁止することを示す情報を含む電子透かし情報を付加することを特徴とする請求項３３記載の情報付加装置。
【請求項３５】
前記情報付加手段は、通信回線を介して送信されるコンテンツデータに、当該コンテンツデータの複製が制限されないことを示す情報を含む電子透かし情報を付加することを特徴とする請求項３３記載の情報付加装置。
【請求項３６】
前記情報付加手段は、記録媒体から読み出されたコンテンツデータに、当該コンテンツデータの複製を許諾することを示す情報を含む電子透かし情報を付加することを特徴とする請求項３３記載の情報付加装置。
【請求項３７】
通信回線にコンテンツデータを送信するコンピュータに、
前記コンテンツデータに当該コンテンツデータの複製を禁止することを示す情報を含む電子透かし情報を付加して前記通信回線に送信する機能を実現させるためのプログラム。
【請求項３８】
通信回線にコンテンツデータを送信するコンピュータに、
前記コンテンツデータに当該コンテンツデータの複製を制限しないことを示す情報を含む電子透かし情報を付加して前記通信回線に送信する機能を実現させるためのプログラム。
【請求項３９】
通信回線にコンテンツデータを送信するコンピュータに、
記録媒体から読み出されたコンテンツデータに当該コンテンツデータの複製を許諾することを示す情報を含む電子透かし情報を付加して前記通信回線に送信する機能を実現させるためのプログラム。
【請求項４０】
通信回線にコンテンツデータを送信するコンピュータに、
パッケージ販売用の記録媒体から読み出されたコンテンツデータに当該コンテンツデータがパッケージ販売用の記録媒体に記録されていたことを示す情報を含む電子透かし情報を付加して前記通信回線に送信する機能を実現させるためのプログラム。
【発明の詳細な説明】
【０００１】
【発明の属する技術分野】
本発明は、コンテンツデータに埋め込まれた電子透かし情報を識別する電子透かし情報識別装置、コンテンツデータを記録するデータ記録装置、コンテンツデータを再生するデータ再生装置、コンテンツデータを出力するデータ出力装置、コンテンツデータを配信する配信装置、この配信装置を含んでなる配信システム、コンテンツデータ、コンテンツデータに情報を付加する情報付加装置及びこの情報付加装置を制御するためのプログラムに関する。
【０００２】
【従来の技術】
近年、音楽や画像、文書等のコンテンツがデジタルデータとして流通するようになり、ＥＭＤ（Ｅｌｅｃｔｒｏｎｉｃ　Ｍｕｓｉｃ　Ｄｉｓｔｒｉｂｕｔｉｏｎ：デジタル音楽配信）と呼ばれるサービスも開始されている。これに伴って、コンテンツデータの著作権の保護が重要な課題となり、様々な手法が提案されている。
【０００３】
ＣＤ等に用いられる著作権管理手法として、ＳＣＭＳ（Ｓｅｒｉａｌ　Ｃｏｐｙ　Ｍａｎａｇｅｍｅｎｔ　Ｓｙｓｔｅｍ　）を挙げて説明すると、パッケージ販売されるＣＤ（Ｃｏｍｐａｃｔ　Ｄｉｓｋ）に記録されたデジタル音楽データには、ＳＣＭＳ情報と呼ばれるデータが付加されていた。このＳＣＭＳ情報は、デジタルデータとしての複製を制限する情報であり、主に一世代に限って複製を許諾するものであった。そして、デジタル音楽データを再生・記録可能なオーディオ機器により、デジタル音楽データをＣＤからＭＤ（Ｍｉｎｉ　Ｄｉｓｋ　）へ複製する場合には、一世代に限ってデジタルコピーが可能であり、二世代以上のデジタルコピーは不可能となっていた。
また更には、「Ｄｉｇｉｔａｌ　Ｗａｔｅｒ　Ｍａｒｋ（電子透かし）」と呼ばれる技術を用い、コンテンツデータに特定のデータを付加する手法があった。これはコンテンツの信号そのものの中に、著作権に関する情報を記録する方法で、それを取り除くことが極めて困難であり、改ざんされ難いという点で、著作権情報の記録に向いている。
【０００４】
また、インターネット等のネットワークを介して不特定多数の端末装置に配信されたコンテンツ等の著作権侵害行為を抑制する装置として、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置がある（例えば、特許文献１参照。）。
【０００５】
【特許文献１】
特開２００１−１８８５４９号公報
【０００６】
【発明が解決しようとする課題】
しかしながら、最近では、デジタルコンテンツデータがパーソナルコンピュータによって処理されるようになり、ＳＣＭＳ情報ごとコンテンツデータが複製されてしまうことがあった。このような場合、ＳＣＭＳ情報は常に一世代の複製を許諾することとなってしまい、実質的に、複製を制限することができないという問題があった。
【０００７】
そこで、ＳＣＭＳ情報のような著作権情報が電子透かし技術を用いて付加される場合、電子透かしデータを、デジタルコピー毎に書き換える手法が提案されている。
しかしながら、この手法では、コンテンツデータを処理する全ての機器に、電子透かしデータを書き換える機能を持たせなければならないという問題があった。
【０００８】
また、ＤＶＤ（Ｄｉｇｉｔａｌ　Ｖｅｒｓａｔｉｌｅ　Ｄｉｓｃ）で採用されたように、コンテンツデータを処理する機器は専用のインターフェースを備え、このインターフェースを介した認証処理を行う手法もあった。この手法では、コンテンツデータに、認証された機器でのみ復号可能な暗号化を施していた。しかしながら、この手法では全ての機器に専用のインターフェースを備える必要があり、さらに暗号化されたコンテンツデータを復号しなければならず、機器側における負荷が大きいので、デジタル音楽データのように広汎に普及するコンテンツデータに適用することは困難であった。
また、コンテンツを複数の帯域に分割し、分割した帯域毎に電子透かし情報を含ませて、配信されたコンテンツの各帯域毎の電子透かし情報の残存状態に応じて、コンテンツの記録媒体への記録の可否を判断する装置では、帯域毎のフィルタ処理や検出処理等の処理が複雑になるという問題があった。
【０００９】
本発明の課題は、通信回線を介して配信されるデジタルコンテンツデータについて、違法な複製を効果的に防止できる、著作権の保護技術を提供することである。
【００１０】
【課題を解決するための手段】
上記課題を解決するため、請求項１記載の発明の電子透かし情報識別装置は、通信回線を介して受信したコンテンツデータに含まれる電子透かし情報を識別する電子透かし情報識別手段を備え、前記電子透かし情報識別手段は、前記コンテンツデータに当該コンテンツデータが配信用のデータであることを示す電子透かし情報が含まれているか否かを識別することを特徴ととしている。
【００１１】
また、請求項２記載の電子透かし情報識別装置は、通信回線を介して受信したコンテンツデータに含まれる電子透かし情報を識別する電子透かし情報識別手段を備え、前記電子透かし情報識別手段は、前記コンテンツデータに所定の電子透かし情報が含まれていない場合は当該コンテンツデータを配信用のデータではないと識別することを特徴としている。
【００１２】
また、請求項３記載の電子透かし情報識別装置は、通信回線を介して受信したコンテンツデータに含まれる電子透かし情報を識別する電子透かし情報識別手段を備え、前記電子透かし情報識別手段は、前記電子透かし情報が電子配信を許諾することを示す情報であるか否かを識別することを特徴ととしている。
【００１３】
更に、請求項４記載の電子透かし情報識別装置において、前記電子透かし情報識別手段は、前記電子透かし情報が電子配信を許諾しないことを示す情報であるか否かを識別することが効果的である。
【００１４】
更に、請求項５記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに当該コンテンツデータが配信用のデータであることを示す電子透かし情報が含まれているか否かを識別し、この識別結果に基づいて前記記録手段による当該コンテンツデータの記録を制御する記録制御手段を備えることを特徴としている。
【００１５】
更に、請求項６記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに所定の電子透かし情報が含まれていない場合は当該コンテンツデータが配信用のデータでないと判別して、前記記録手段による当該コンテンツデータの記録を阻止する記録制御手段を備えることを特徴としている。
【００１６】
更に、請求項７記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに当該コンテンツデータの電子配信を許諾することを示す電子透かし情報が含まれていた場合は、前記記録手段による当該コンテンツデータの記録を許可する記録制御手段を備えることを特徴としている。
【００１７】
更に、請求項８記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに当該コンテンツデータの電子配信を許諾しないことを示す電子透かし情報が含まれていた場合は、前記記録手段による当該コンテンツデータの記録を阻止する記録制御手段を備えることを特徴としている。
【００１８】
更に、請求項９記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに当該コンテンツデータが一世代に限って複製を許諾することを示す電子透かし情報が含まれていた場合は、当該コンテンツデータの受信装置内での記録を可能とすると共に、当該受信装置内への記録時に前記電子透かし情報を複製を禁止することを示す情報に書き換える記録制御手段を備えることを特徴としている。
【００１９】
更に、請求項１０記載の発明は、通信回線を介してコンテンツデータを受信する受信手段と、この受信手段により受信されたコンテンツデータを記録媒体に記録する記録手段とを備えるデータ記録装置において、前記受信手段により受信されたコンテンツデータに当該コンテンツデータが一世代に限って複製を許諾することを示す電子透かし情報が含まれていた場合は、当該コンテンツデータの受信装置内での記録を可能とすると共に、外部機器への出力の際には前記電子透かし情報を複製を禁止することを示す情報に書き換える記録制御手段を備えることを特徴としている。
【００２０】
更に、請求項１１記載の発明は、通信回線を介してコンテンツデータを受信する受信手段と、この受信手段により受信されたコンテンツデータを再生する再生手段とを備えるデータ再生装置において、前記受信手段により受信されたコンテンツデータに当該コンテンツデータが配信用のデータであることを示す電子透かし情報が含まれているか否かを識別し、この識別結果に基づいて前記再生手段による当該コンテンツデータの再生を制御する再生制御手段を備えることを特徴としている。
【００２１】
更に、請求項１２記載の発明は、通信回線を介してコンテンツデータを受信する受信手段と、この受信手段により受信されたコンテンツデータを再生する再生手段とを備えるデータ再生装置において、前記受信手段により受信されたコンテンツデータに所定の電子透かし情報が含まれていない場合は当該コンテンツデータが配信用のデータでないと判別して、前記再生手段による当該コンテンツデータの再生を阻止する再生制御手段を備えることを特徴としている。
【００２２】
更に、請求項１３記載の発明は、通信回線を介してコンテンツデータを受信する受信手段と、この受信手段により受信されたコンテンツデータを再生する再生手段とを備えるデータ再生装置において、前記受信手段により受信されたコンテンツデータに当該コンテンツデータが電子配信を許諾するデータであることを示す電子透かし情報が含まれていた場合は、前記再生手段による当該コンテンツデータの再生を許可する再生制御手段を備えることを特徴としている。
【００２３】
更に、請求項１４記載の発明は、通信回線を介してコンテンツデータを受信する受信手段と、この受信手段により受信されたコンテンツデータを再生する再生手段とを備えるデータ再生装置において、前記受信手段により受信されたコンテンツデータに当該コンテンツデータが電子配信を許諾するデータであることを示す電子透かし情報が含まれていない場合は、前記再生手段による当該コンテンツデータの再生を阻止する再生制御手段を備えることを特徴としている。
【００２４】
更に、請求項１５記載の発明は、通信回線を介してコンテンツデータを受信する受信手段と、この受信手段により受信されたコンテンツデータを出力する出力手段とを備えるデータ出力装置において、前記受信手段により受信されたコンテンツデータに当該コンテンツデータが配信用のデータであることを示す電子透かし情報が含まれているか否かを識別し、この識別結果に基づいて前記出力手段による当該コンテンツデータの出力を制御する出力制御手段を備えることを特徴としている。
【００２５】
更に、請求項１６記載の発明は、通信回線を介してコンテンツデータを受信する受信手段と、この受信手段により受信されたコンテンツデータを出力する出力手段とを備えるデータ出力装置において、前記受信手段により受信されたコンテンツデータに所定の電子透かし情報が含まれていない場合は当該コンテンツデータが配信用のデータでないと判別して、前記出力手段による当該コンテンツデータの出力を阻止する出力制御手段を備えることを特徴としている。
【００２６】
更に、請求項１７記載の発明は、通信回線を介してコンテンツデータを受信する受信手段と、この受信手段により受信されたコンテンツデータを出力する出力手段とを備えるデータ出力装置において、前記受信手段により受信されたコンテンツデータに当該コンテンツデータの電子配信を許諾することを示す電子透かし情報が含まれていた場合は、前記出力手段による当該コンテンツデータの出力を許可する出力制御手段を備えることを特徴としている。
【００２７】
更に、請求項１８記載の発明は、通信回線を介してコンテンツデータを受信する受信手段と、この受信手段により受信されたコンテンツデータを出力する出力手段とを備えるデータ出力装置において、前記受信手段により受信されたコンテンツデータに当該コンテンツデータの電子配信を許諾しないことを示す電子透かし情報が含まれていた場合は、前記出力手段による当該コンテンツデータの出力を阻止する出力制御手段を備えることを特徴としている。
【００２８】
更に、請求項１９記載の発明は、通信回線を介してコンテンツデータを受信する受信手段と、この受信手段により受信されたコンテンツデータを出力する出力手段とを備えるデータ出力装置において、前記受信手段により受信されたコンテンツデータに当該コンテンツデータが一世代に限って複製を許諾することを示す電子透かし情報が含まれていた場合は、前記出力手段による当該コンテンツデータの出力を許可する出力制御手段を備えることを特徴としている。
【００２９】
更に、請求項２０記載の発明のデータ出力装置において、前記出力手段は、前記受信手段により受信されたコンテンツデータに含まれる電子透かし情報を、当該コンテンツデータの複製を禁止することを示す情報を含む電子透かし情報に書き換えて出力することが効果的である。
【００３０】
更に、請求項２１記載の発明のデータ出力装置において、前記出力手段による前記コンテンツデータの出力は、再生、記録若しくは通信回線を介した送信のための出力であることが効果的である。
【００３１】
更に、請求項２２記載の発明は、通信回線を介して複数の受信端末と接続され、複数のコンテンツデータを保持し、前記受信端末からの要求に応じてコンテンツデータを受信端末に配信する配信装置であって、前記コンテンツデータに配信用のデータであることを示す情報を電子透かし情報として含ませて前記受信端末に配信することを特徴としている。
【００３２】
更に、請求項２３記載の発明は、通信回線を介してコンテンツデータを配信する配信装置と、この配信装置に対して前記通信回線を介して接続されるデータ出力装置とを備えてなる配信システムにおいて、前記配信装置は、前記コンテンツデータに所定のデータを電子透かし情報として含ませて配信するものであり、前記データ出力装置は、前記通信回線を介してコンテンツデータを受信する受信手段と、前記受信手段により受信されたコンテンツデータを出力する出力手段と、前記受信手段により受信されたコンテンツデータに当該コンテンツデータが配信用のデータであることを示す電子透かし情報が含まれているか否かを識別し、この識別結果に基づいて前記出力手段による当該コンテンツデータの出力を制御する出力制御手段と、を備えることを特徴としている。
【００３３】
更に、請求項２４記載の発明は、通信回線を介してコンテンツデータを配信する配信装置と、この配信装置に対して前記通信回線を介して接続されるデータ出力装置とを備えてなる配信システムにおいて、前記配信装置は、前記コンテンツデータに電子配信を許諾するデータであることを示す電子透かし情報を含ませて配信するものであり、前記データ出力装置は、前記通信回線を介してコンテンツデータを受信する受信手段と、前記受信手段により受信されたコンテンツデータを出力する出力手段と、前記受信手段により受信されたコンテンツデータに当該コンテンツデータが電子配信を許諾するデータであることを示す電子透かし情報が含まれていた場合、前記出力手段による当該コンテンツデータの出力を許可する出力制御手段と、を備えることを特徴としている。
【００３４】
更に、請求項２５記載の発明は、通信回線を介してコンテンツデータを配信する配信装置と、この配信装置に対して前記通信回線を介して接続されるデータ出力装置とを備えてなる配信システムにおいて、前記配信装置は、前記コンテンツデータに電子配信を許諾しないデータであることを示す電子透かし情報を含ませて配信するものであり、前記データ出力装置は、前記通信回線を介してコンテンツデータを受信する受信手段と、前記受信手段により受信されたコンテンツデータを出力する出力手段と、前記受信手段により受信されたコンテンツデータに当該コンテンツデータが電子配信を許諾しないデータであることを示す電子透かし情報が含まれていた場合、前記出力手段による当該コンテンツデータの出力を阻止する出力制御手段と、を備えることを特徴としている。
【００３５】
更に、請求項２６記載の発明は、通信回線を介してコンテンツデータを配信する配信装置と、この配信装置に対して前記通信回線を介して接続されるデータ出力装置とを備えてなる配信システムにおいて、前記配信装置は、前記コンテンツデータに一世代に限って複製を許諾するデータであることを示す電子透かし情報を含ませて配信するものであり、前記データ出力装置は、前記通信回線を介してコンテンツデータを受信する受信手段と、前記受信手段により受信されたコンテンツデータを出力する出力手段と、前受信手段により受信されたコンテンツデータに当該コンテンツデータが一世代に限って複製を許諾するデータであることを示す電子透かし情報が含まれていた場合、前記出力手段による当該コンテンツデータの出力を許可する出力制御手段と、を備えることを特徴としている。
【００３６】
更に、請求項２７記載の発明は、通信回線を介して送受信可能なコンテンツデータであって、電子透かし情報を保持しており、該電子透かし情報には、当該コンテンツデータが配信用のデータであることを識別するための識別情報が保持されていることを特徴としている。
【００３７】
更に、請求項２８載の発明は、通信回線を介して送受信可能なコンテンツデータであって、電子透かし情報を保持しており、該電子透かし情報には、当該コンテンツデータが配信用のデータであることを識別するための識別情報が保持され、この識別情報は、当該コンテンツデータを受信した装置において所定の動作が制御されるように設定された情報であることを特徴としている。
【００３８】
更に、請求項２９記載の発明のコンテンツデータにおいて、前記電子透かし情報に、当該コンテンツデータが前記通信回線を介して配信される配信用のデータであることを示す情報が含まれていない場合、前記識別情報は、当該コンテンツデータを出力する装置において当該コンテンツデータの出力が不可能となるように設定された情報であることが効果的である。
【００３９】
更に、請求項３０記載の発明のコンテンツデータにおいて、前記電子透かし情報に、当該コンテンツデータの複製を許諾することを示す情報が含まれている場合、前記識別情報は、当該コンテンツデータを出力する装置において当該コンテンツデータの出力が可能となるように設定された情報であることが効果的である。
【００４０】
更に、請求項３１記載の発明のコンテンツデータにおいて、前記電子透かし情報に、当該コンテンツデータの複製を一世代に限って許諾することを示す情報が含まれている場合、前記識別情報は、当該コンテンツデータを出力する装置において当該コンテンツデータの出力が可能となるように設定された情報であることが効果的である。
【００４１】
更に、請求項３２記載の発明のコンテンツデータにおいて、前記電子透かし情報に、当該コンテンツデータの複製が制限されないことを示す情報が含まれている場合、前記識別情報は、当該コンテンツデータを出力する装置において当該コンテンツデータの出力が可能となるように設定された情報であることが効果的である。、
【００４２】
更に、請求項３３記載の発明の情報付加装置は、コンテンツデータに電子透かし情報を付加する情報付加手段を備え、前記情報付加手段は、パッケージ販売用の記録媒体から読み出されたコンテンツデータに、当該コンテンツデータの複製を禁止することを示す情報を含む電子透かし情報を付加することを特徴としている。
【００４３】
更に、請求項３４記載の発明の情報付加装置において、前記情報付加手段は、通信回線を介して送信されるコンテンツデータに、当該コンテンツデータの複製を禁止することを示す情報を含む電子透かし情報を付加することが効果的である。
【００４４】
更に、請求項３５記載の発明の情報付加装置において、前記情報付加手段は、通信回線を介して送信されるコンテンツデータに、当該コンテンツデータの複製が制限されないことを示す情報を含む電子透かし情報を付加することが効果的である。
【００４５】
更に、請求項３６記載の発明の情報付加装置において、前記情報付加手段は、記録媒体から読み出されたコンテンツデータに、当該コンテンツデータの複製を許諾することを示す情報を含む電子透かし情報を付加することが効果的である。
【００４６】
更に、請求項３７記載の発明のプログラムは、通信回線にコンテンツデータを送信するコンピュータに、前記コンテンツデータに当該コンテンツデータの複製を禁止することを示す情報を含む電子透かし情報を付加して前記通信回線に送信する機能を実現させることを特徴としている。
【００４７】
更に、請求項３８記載の発明のプログラムは、通信回線にコンテンツデータを送信するコンピュータに、前記コンテンツデータに当該コンテンツデータの複製を制限しないことを示す情報を含む電子透かし情報を付加して前記通信回線に送信する機能を実現させることを特徴としている。
【００４８】
更に、請求項３９記載の発明のプログラムは、通信回線にコンテンツデータを送信するコンピュータに、記録媒体から読み出されたコンテンツデータに当該コンテンツデータの複製を許諾することを示す情報を含む電子透かし情報を付加して前記通信回線に送信する機能を実現させることを特徴としている。
【００４９】
更に、請求項４０記載の発明のプログラムは、通信回線にコンテンツデータを送信するコンピュータに、パッケージ販売用の記録媒体から読み出されたコンテンツデータに当該コンテンツデータがパッケージ販売用の記録媒体に記録されていたことを示す情報を含む電子透かし情報を付加して前記通信回線に送信する機能を実現させることを特徴としている。
【００５０】
【発明の実施の形態】
以下、図１〜図１２を参照して、本発明の実施の形態について説明する。なお、以下の実施の形態において、埋込データは、請求項に記載の電子透かし情報に対応し、ＳＣＭＳ情報は、請求項に記載の複製管理情報に対応する。
【００５１】
［第１の実施の形態］
図１は、本発明を適用した第１の実施の形態における配信システム１の概略構成を示す図である。
この図１に示すように、配信システム１は、ネットワークＮによって互いに接続された配信装置１１、データ再生装置１２およびデータ記録装置１５によって構成されている。データ再生装置１２は再生用メディアドライブ１２１を有し、データ記録装置１５は、再生用メディアドライブ１５１および記録用メディアドライブ１５２を有する。
【００５２】
配信システム１において、データ再生装置１２は、配信装置１１によりネットワークＮを介して送信されるデータを受信して再生する装置であり、データ記録装置１５は、配信装置１１からネットワークＮを介して送信されるデータを受信して、記録用メディアドライブ１５２により記録させる。
【００５３】
データ再生装置１２およびデータ記録装置１５が有する再生用メディアドライブ１２１，１５１は、ＣＤ（Ｃｏｍｐａｃｔ　Ｄｉｓｋ）やＤＶＤ（Ｄｉｇｉｔａｌ　Ｖｅｒｓａｔｉｌｅ　Ｄｉｓｃ）等のディスクメディア、あるいは、半導体メモリを内蔵する半導体メモリメディアを駆動し、これらの各種メディアに記録されたデータを読み取る装置である。また、データ記録装置１５が有する記録用メディアドライブ１５２は、上記各種メディアに対してデータを記録する装置である。なお、上記再生用メディアドライブ１２１，１５１および記録用メディアドライブ１５２において利用可能なメディアは特に限定されるものではなく、上記メディアに類するもの、および、今後実用化されるものについても勿論適用可能である。
【００５４】
ネットワークＮは、専用線、公衆電話回線、衛星通信回線等の各種通信回線や図示しない各種サーバ等を含んで構成され、その具体的態様は特に限定されない。また、配信装置１１、データ再生装置１２及びデータ記録装置１５の各装置とネットワークＮとの間には、ＩＳＰ（Ｉｎｔｅｒｎｅｔ　Ｓｅｒｖｉｃｅ　Ｐｒｏｖｉｄｅｒ　）やＮＳＰ（Ｎｅｔｗｏｒｋ　Ｓｅｒｖｉｃｅ　Ｐｒｏｖｉｄｅｒ）等が提供するサーバやファイアーウォール、ゲートウェイ装置等の各種機器が介在する構成としても良いが、ここでは図示しない。
【００５５】
ここで、配信システム１において配信、再生および記録されるデータについて説明する。
本第１の実施の形態では、配信システム１において、コンテンツデータとしてデジタル音楽データを配信、再生および記録する例について説明する。従来から、パッケージ販売されるＣＤに記録されたデジタル音楽データには、ＳＣＭＳ（Ｓｅｒｉａｌ　Ｃｏｐｙ　Ｍａｎａｇｅｍｅｎｔ　Ｓｙｓｔｅｍ）と呼ばれるデータが付加されている。ここで、ＳＣＭＳ情報の構成を表１に示す。
【表１】
2004139252.tif 000003
【００５６】
上記表１に示すように、ＳＣＭＳ情報は２ビットで構成されており、デジタル音楽データの複製に関して、３通りの制限を示している。
たとえば、ＳＣＭＳ情報「００」は、「Ｃｏｐｙ　Ｆｒｅｅ　」すなわち複製について制限がないことを示している。また、ＳＣＭＳ情報「１０」は、「Ｏｎｅ　ＧｅｎｅｒａｔｉｏｎＣｏｐｙ　Ｐｅｒｍｉｔｔｅｄ　」すなわち一世代の複製のみ許諾されていることを示し、ＳＣＭＳ情報「１１」は、「Ｎｏ　Ｍｏｒｅ　Ｃｏｐｙ　」すなわち複製が禁止されていることを示している。
【００５７】
従って、デジタル音楽データにＳＣＭＳ情報「１０」が付加されている場合、そのデジタル音楽データは、一世代に限り、デジタルデータとして複製することが可能である。たとえば、パッケージ販売されているＣＤを購入したユーザが、このＣＤに記録されたデジタル音楽データをＣＤ−ＲやＣＤ−ＲＷ等のディスクメディアや、半導体メモリメディアに記録することは可能であるが、そのディスクメディアや半導体メモリメディアから、さらに他のメディアにデジタル音楽データをデジタルコピーすることは許諾されていない。
【００５８】
また、パッケージ販売されているＣＤに記録されたデジタル音楽データには、著作権を主張する電子データが信号ビット列の中の１ビットの著作権情報ビットで付加されているが、これを改竄が困難な電子透かし情報として特定のデータを挿入することで表示することも可能である。ＣＤの場合、ＳＣＭＳの情報の「００」に対応する状態は、この著作権情報の１ビットが「１」に対応していて、「１０」に対応する状態は、この著作権ビットが「０」の状態に対応する。
【００５９】
また、ＳＣＭＳの「１１」に対応する状態は、この著作権情報の１ビットがおおよそ１秒の周期で１と０が交互に出てくる状態で対応している。
このように複雑な構造になったのは、元々ＳＣＭＳの考え方がＣＤが発売された後、デジタル録音装置ＤＡＴが市場に投入される時点で決められたせいである。
ＤＡＴの場合は、最初から著作権情報として２ビットが割り当てられていたので、ＳＣＭＳ本来のビット構造をとっている。つまり、ＳＣＭＳの情報には著作権を主張する情報とコピー世代を示す情報の双方が含まれている。
【００６０】
同様に、デジタル音楽データにＳＣＭＳ情報「００」が付加されている場合、そのデジタル音楽データは自由にデジタルコピーすることが許諾されているコンテンツを示し、デジタル音楽データにＳＣＭＳ情報「１１」が付加されている場合、そのデジタル音楽データは既に一回コピーされたコンテンツを示し、更なるデジタルコピーは許諾されていないコンテンツを示す。なお、現在市販されているデジタル音楽データのデジタルコピーが可能な機器は、概ねＳＣＭＳ情報の制限に準じた動作を行うものとなっている。
【００６１】
さらに、本第１の実施の形態では、配信システム１において配信、再生および記録されるデジタル音楽データには、３ビットのデータが埋め込まれているものとする。この３ビットのデータを、以下、「埋込データ」と呼称し、その構成を表２に示す。
【表２】
2004139252.tif 000004
【００６２】
上記表２に示すように、３ビットで構成される埋込データは、先頭の１ビットである「第１ビット」と、この第１ビットに次ぐ２ビットの「第２，第３ビット」とに分けられる。
第１ビットは、この埋込データが埋め込まれたデジタル音楽データが、ＣＤ等店頭に並べられてパッケージ販売されるパッケージメディアのデータか、或いは、ＥＭＤ（Ｅｌｅｃｔｒｏｎｉｃ　Ｍｕｓｉｃ　Ｄｉｓｔｒｉｂｕｔｉｏｎ　）サービス等で配信される配信用のデータであるかを示す。具体的には、第１ビットが「０」であれば、該埋込データが埋め込まれたデジタル音楽データはパッケージメディアのデータであることを示し、第１ビットが「１」であれば、この埋込データが埋め込まれたデジタル音楽データは配信用のデータであることを示す。
【００６３】
なお、ここで配信用のデータとは、ＥＭＤ等で配信されるべきデータとして正規に作成されたデジタル音楽データであり、正規に認証された配信装置１１によって、通常のデジタル音楽データに埋込データを埋め込んでなるものである。従って、デジタル音楽データが通信ネットワークを介して配信されたもの総てが配信用のデータであるとは限らない。
【００６４】
また、表２に示す第２，第３ビットのデータは２ビットで構成された情報であり、デジタル音楽データの複製に関して、３通りの制限を示す情報である。
たとえば、第２，第３ビットのデータが「００」の場合、「Ｃｏｐｙ　Ｆｒｅｅ　」すなわち複製について制限がないことを示している。また、第２，第３ビットのデータが「１０」の場合、「Ｏｎｅ　Ｇｅｎｅｒａｔｉｏｎ　Ｃｏｐｙ　Ｐｅｒｍｉｔｔｅｄ　」すなわち一世代の複製のみ許諾されていることを示し、第２，第３ビットのデータが「１１」の場合は、「Ｎｅｖｅｒ　Ｃｏｐｙ　」もしくは「Ｎｏ　Ｍｏｒｅ　Ｃｏｐｙ　」すなわち複製が禁止されていることを示している。
【００６５】
従って、たとえば埋込データ「０１０」が埋め込まれたデジタル音楽データは、パッケージメディアに記録されていたデータであって、一世代のみデジタルデータとして複製することが可能である。
このように、３ビットで構成される埋込データは、デジタル音楽データの出自と、該デジタル音楽データに関して定められたデジタルコピーの制限とを示すデータである。
【００６６】
なお、埋込データは、いわゆる「Ｄｉｇｉｔａｌ　Ｗａｔｅｒ　Ｍａｒｋ（電子透かし）」技術によってデジタル音楽データに埋め込まれるものであり、一般消費者による記録・改変が不可能なように記録されたものである。これらのＤｉｇｉｔａｌ　Ｗａｔｅｒ　Ｍａｒｋ技術については、既に一般に利用されているものを適用することが可能である。
【００６７】
そして、配信システム１における配信装置１１は、放送メディアやコンテンツ配信メディア等により正規に配信されるデジタル音楽データには、第１ビットに「１」のデータを設定し、第２，第３ビットに著作権者の意向に基づくデータを設定した埋込データが埋め込まれた上で、放送局やネットワーク、及び対応する受信装置を介してデータ再生装置１２やデータ記録装置１５に配信される。
【００６８】
また、パッケージメディアに記録されて正規に流通されるデジタル音楽データには、第１ビットに「０」のデータを設定し、第２，第３ビットに著作権者の意向に基づくデータを設定した埋込データが埋め込まれ、データ再生装置１２における再生処理と、データ記録装置１５における記録処理が制御可能なように設定される。
【００６９】
一方、配信システム１において、データ再生装置１２は、ネットワークＮを介して配信装置１１から配信されたデジタル音楽データを受信し、或いは、再生用メディアドライブ１２１にセットされた記録媒体に記録されているデジタル音楽データを読み取ることによりデジタル音楽データを取得し、その再生を行う。
【００７０】
また、データ記録装置１５は、ネットワークＮを介して配信装置１１から配信されたデジタル音楽データを受信し、或いは、再生用メディアドライブ１５１にセットされた記録媒体に記録されているデジタル音楽データを読み取ることによってデジタル音楽データを取得し、記録用メディアドライブ１５２にセットされた記録媒体に記録する。
【００７１】
図２は、データ再生装置１２の機能的構成を示す図である。
図２に示すように、データ再生装置１２は、デジタル音楽データが入力されるインターフェースとして、保護対応インターフェース１２２、ネットワークインターフェース１２３、および再生用メディアドライブインターフェース１２４を備えている。
【００７２】
保護対応インターフェース１２２は、音楽データや映像データ等のデジタルコンテンツの著作権を保護するために策定された認証処理等に対応したインターフェースであって、たとえば、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ　）１３９４規格に準拠したものが挙げられる。デジタルコンテンツのデータは、暗号化された状態で保護対応インターフェース１２２を介して送受信されるため、受信側の機器においては、正規の認証を得たハードウェア若しくはソフトウェアによって暗号を解読して、再生可能なデータ形式に変換した上で、再生等の処理を行わなければならない。また、保護対応インターフェース１２２を介して送受信されるデータには、著作権を保護するためのＤＲＭ（Ｄｉｇｉｔａｌ　Ｒｉｇｈｔｓ　Ｍａｎａｇｅｍｅｎｔ　）情報が含まれており、デジタルコンテンツの再生や記録は、このＤＲＭ情報に基づいて行われる。
【００７３】
また、ネットワークインターフェース１２３は、ネットワークＮとの間でデジタルデータを送受信するためのインターフェースである。ネットワークインターフェース１２３を介しては、扱う種類を問わず一般的なデジタルデータ全般が送受信されるが、所定の処理を経ることにより、上記保護対応インターフェース１２２と同様に著作権の保護に対応するインターフェースとして機能する。たとえば、ネットワークＮとデータ再生装置１２との間に存在するＩＳＰのサーバ（図示略）と、保護対応インターフェース１２２との間において認証処理が行われ、著作権の保護に対応する認証処理が行われた上でデジタル音楽データが送受信される場合、このデジタル音楽データは、保護対応インターフェース１２２から入力されるデジタル音楽データと同等に扱うことが可能である。
【００７４】
また、再生用メディアドライブインターフェース１２４は、再生用メディアドライブ１２１（図１）に接続されるインターフェースであり、再生用メディアドライブ１２１にセットされた記録媒体に記録されたデジタル音楽データは、再生用メディアドライブインターフェース１２４を介して入力される。
【００７５】
さらに、データ再生装置１２は、音声を出力する端子として、デジタル出力端子１３９及びアナログ出力端子１４０を備えている。
デジタル出力端子１３９は、デジタル信号を出力するためのインターフェースであり、デジタル出力端子１３９の前段にはデジタル信号出力回路１３７が接続されている。デジタル信号出力回路１３７は、後述する出力回路１２８，１３５及びデジタル信号入力回路１３６から出力されたデジタル音楽データを、デジタル出力端子１３９に適合する信号に変換する回路である。
【００７６】
一方、アナログ出力端子１４０は、アナログ信号として音声を出力する端子であり、その前段にはＤ／Ａ（Ｄｉｇｉｔａｌ／Ａｎａｌｏｇ）コンバータ１３８が接続されている。Ｄ／Ａコンバータ１３８は、後述する出力回路１２８，１３５及びデジタル信号入力回路１３６から出力されたデジタル音楽データをアナログ音声信号に変換し、アナログ出力端子１４０から出力させる。
【００７７】
保護対応インターフェース１２２には、相互認証部１２５が接続されている。相互認証部１２５は、保護対応インターフェース１２２を介して接続された機器（図示略）との間で、著作権保護のために策定された認証処理を行う回路である。そして、相互認証部１２５は、認証処理を経た後に保護対応インターフェース１２２から入力されるデジタル音楽データを暗号解読部１２６へ出力する。
【００７８】
相互認証部１２５から入力されたデジタル音楽は暗号化されたデータであるから、暗号解読部１２６は、入力されたデータを解読する処理を行い、出力回路１２８へ出力する。また、暗号解読部１２６は、相互認証部１２５から入力されたデジタル音楽データを解読する際に、該デジタル音楽データに含まれるＤＲＭ情報を抽出して、ＤＲＭ処理部１２７へ出力する。
【００７９】
ＤＲＭ処理部１２７は、暗号解読部１２６から入力されたＤＲＭ情報の内容を識別する処理を行い、ＤＲＭ情報に異常がなく、かつ、デジタル音楽データの再生が許可されている場合は、デジタル音楽データを再生する指示を出力回路１２８へ出力する。
【００８０】
出力回路１２８は、デジタル音楽データを再生する指示がＤＲＭ処理部１２７から入力されている場合に、暗号解読部１２６から出力されたデータをデジタル信号出力回路１３７及びＤ／Ａコンバータ１３８へ出力する。
【００８１】
一方、ネットワークインターフェース１２３には、通信制御部１２９が接続されている。通信制御部１２９は、ネットワークインターフェース１２３を介してネットワークＮとの間で回線を確立し、配信装置１１からネットワークＮを介して配信されるデジタル音楽データを受信する。
【００８２】
通信制御部１２９により受信されたデジタル音楽データは、受信データデコーダ１３２に出力され、受信データデコーダ１３２によってデコードされる。一般に、ＷＡＶ形式等のデジタル音楽データはデータ量が大きいため、ネットワークＮを介して配信される際には、ＭＰ３（Ｍｏｖｉｎｇ　Ｐｉｃｔｕｒｅ　Ｅｘｐｅｒｔ　Ｇｒｏｕｐ　Ｐｈａｓｅ２　−Ａｕｄｉｏ　Ｌａｙｅｒ　ＩＩＩ）形式等のデータ形式に準じて圧縮されている。従って、受信データデコーダ１３２は、通信制御部１２９によって受信されたデジタル音楽データをデコードし、再生可能なデータ形式に変換する。
【００８３】
受信データデコーダ１３２によってデコードされたデジタル音楽データは、埋込データデコーダ１３３に出力される。
埋込データデコーダ１３３は、受信データデコーダ１３２から入力されたデジタル音楽データを出力回路１３５へ出力するとともに、該デジタル音楽データに埋め込まれた埋込データをデコードし、埋込データ判定部１３４へ出力する。
【００８４】
埋込データ判定部１３４は、埋込データデコーダ１３３から入力された埋込データの判定を行い、埋込データの第１ビットが、「１」か「０」かを判定する。上記表２に示すように、埋込データの第１ビットはデジタル音楽データの出自を示すものであり、「０」の場合はパッケージ販売された記録媒体に記録されたデータであることを示し、「１」の場合はＥＭＤ等により配信される配信用のデータであることを示す。
【００８５】
そして、埋込データデコーダ１３３から入力された埋込データの第１ビットが「０」であった場合、該デジタル音楽データは、ネットワークＮを介して配信するためのデータとして正規に許諾され、著作権の保護に配慮されたデータではないものであるから、埋込データ判定部１３４は出力回路１３５に対し、デジタル音楽データの出力を停止する旨の指示を出力する。
【００８６】
また、埋込データデコーダ１３３から入力された埋込データの第１ビットが「１」であった場合、該デジタル音楽データは正規の配信用のデータであるから、埋込データ判定部１３４は、出力回路１３５に対してデジタル音楽データを出力する旨の指示を出力する。
【００８７】
出力回路１３５は、埋込データ判定部１３４からデジタル音楽データを再生する旨の指示が出力された場合にのみ、デジタル信号出力回路１３７及びＤ／Ａコンバータ１３８へデジタル音楽データを出力する。
【００８８】
また、通信制御部１２９には、保護判定部１３０及び認証部１３１が接続されている。通信制御部１２９によって、ネットワークインターフェース１２３を介してデータを送受信する相手側機器が、著作権の保護に対応する認証処理を行うサーバ等であった場合、保護判定部１３０は、通信制御部１２９によって受信したデータを認証部１３１へ出力し、通信制御部１２９を介して認証処理を行わせる。そして、認証部１３１による認証が成功した場合には、通信制御部１２９によって受信されたデジタル音楽データは、認証部１３１を介して上記の暗号解読部１２６へ出力され、保護対応インターフェース１２２から入力されたデジタル音楽データと同様に処理される。
【００８９】
再生用メディアドライブインターフェース１２４には、デジタル信号入力回路１３６が接続されている。デジタル信号入力回路１３６は、再生用メディアドライブ１２１（図１）にセットされた記録媒体に記録されたデジタル音楽データが再生用メディアドライブ１２１によって読み取られ、再生用メディアドライブインターフェース１２４から入力されると、該デジタル音楽データをデジタル信号出力回路１３７及びＤ／Ａコンバータ１３８へ出力する。
【００９０】
以上のように、配信装置１１によってネットワークＮを介して配信されるデジタル音楽データに対し、配信用のデータであることを示す埋込データを埋め込んでおき、データ再生装置１２において、ネットワークＮを介して受信したデジタル音楽データについて、該デジタル音楽データに埋め込まれた埋込データを埋込データ判定部１３４により判定することで、ＥＭＤ等により配信を行うために正規に許諾されたデジタル音楽データか否かを判定する。そして、ネットワークＮを介して受信したデジタル音楽データが配信用のデータであった場合は、その再生を行う。また、ネットワークＮを介して受信したデジタル音楽データが、もともとパッケージ販売される記録媒体に記録されたデータであった場合は、再生出力を行わない。
【００９１】
これにより、パッケージメディアからコピーされ、ネットワークを介して配信されるデータとして正規に許諾されていないデータが、ネットワークＮを介して送信された場合であっても、その再生を行わないので、著作権を無視した不正なデータが際限なく利用されることがない。
【００９２】
また、データ再生装置１２によれば、保護対応インターフェース１２２を介して入力されたデジタル音楽データについては、該デジタル音楽データに付加されたＤＲＭ情報に基づく再生処理を行い、再生用メディアドライブ１２１にセットされた記録媒体から読み取られたデータも再生することができる。このため、著作権の保護に対応するデジタル音楽データや、パッケージメディアに記録されたデジタル音楽データについては問題なく再生することができる。
【００９３】
図３は、データ記録装置１５の機能的構成を示すブロック図である。
図３に示すように、データ記録装置１５は、デジタル音楽データが入力されるインターフェースとして、保護対応インターフェース１５３、ネットワークインターフェース１５４、および再生用メディアドライブインターフェース１５５を備えている。
【００９４】
保護対応インターフェース１５３は、保護対応インターフェース１２２（図２）と同様に、音楽データや映像データ等のデジタルコンテンツの著作権を保護するために策定された認証処理等に対応したインターフェースである。保護対応インターフェース１５３を介して送受信されるデジタルコンテンツのデータは、暗号化された状態で送受信されるため、受信側の機器においては、正規の認証を得たハードウェア若しくはソフトウェアによって暗号を解読して、再生可能なデータ形式に変換した上で、再生等の処理を行わなければならない。また、保護対応インターフェース１５３を介して送受信されるデータには、著作権を保護するためのＤＲＭ情報が含まれており、デジタルコンテンツの再生や記録はＤＲＭ情報に基づいて行われる。
【００９５】
また、ネットワークインターフェース１５４は、ネットワークインターフェース１２３（図２）と同様に、ネットワークＮとの間でデジタルデータを送受信するためのインターフェースである。
【００９６】
再生用メディアドライブインターフェース１５５は、再生用メディアドライブ１５１（図１）に接続されるインターフェースであり、再生用メディアドライブ１５１にセットされた記録媒体に記録されたデジタル音楽データが入力される。
【００９７】
さらに、データ記録装置１５は、記録用メディアドライブ１５２（図１）に接続される記録用メディアドライブインターフェース１７１を備えており、記録用メディアドライブインターフェース１７１を介して記録用メディアドライブ１５２へ出力されたデジタル音楽データは、記録用メディアドライブ１５２にセットされた記録用記録媒体に記録される。
【００９８】
保護対応インターフェース１５３には、相互認証部１５６が接続されている。相互認証部１５６は、保護対応インターフェース１５３を介して接続された機器（図示略）との間で、著作権保護のために策定された認証処理を行う回路である。そして、相互認証部１５６は、認証処理を経た後に保護対応インターフェース１５３から入力されるデジタル音楽データを暗号解読部１５７へ出力する。
【００９９】
相互認証部１５６から入力されたデジタル音楽は暗号化されたデータであるから、暗号解読部１５７は、入力されたデータを解読する処理を行い、出力回路１５９へ出力する。また、暗号解読部１５７は、相互認証部１５６から入力されたデジタル音楽データを解読する際に、該デジタル音楽データに含まれるＤＲＭ情報を抽出して、ＤＲＭ処理部１５８へ出力する。
【０１００】
ＤＲＭ処理部１５８は、暗号解読部１５７から入力されたＤＲＭ情報の内容を識別する処理を行う。そして、暗号解読部１５７から入力されたＤＲＭ情報が複製を禁止している場合は、デジタル音楽データの出力を停止する旨の指示を出力回路１５９へ出力する。一方、暗号解読部１５７から入力されたＤＲＭ情報が複製を許諾している場合、ＤＲＭ処理部１５８は、デジタル音楽データを出力する旨の指示を出力回路１５９へ出力する。
【０１０１】
出力回路１５９は、ＤＲＭ処理部１５８からデジタル音楽データを出力する旨の指示が入力された場合に、暗号解読部１５７から出力されたデータを記録用メディアドライブインターフェース１７１へ出力し、ＤＲＭ処理部１５８からデジタル音楽データの出力を停止する旨の指示が入力された場合は、記録用メディアドライブインターフェース１７１へのデジタル音楽データの出力を停止する。
【０１０２】
ネットワークインターフェース１５４には、通信制御部１６０が接続されている。通信制御部１６０は、ネットワークインターフェース１５４を介してネットワークＮとの間で回線を確立し、配信装置１１からネットワークＮを介して配信されるデジタル音楽データを受信する。
【０１０３】
通信制御部１６０において、配信される音楽が暗号化され著作権保護を受けている場合は、配信側装置と認証部１６２で認証処理を行い、更に保護判定部１６１で、そのデジタル音楽データが著作権保護の為に暗号化してあるかどうか判定して、暗号化されている場合は暗号解読部１５７へ信号を送る。暗号化されていない場合、受信されたデジタル音楽データは埋込データデコーダ１６３へ出力される。
【０１０４】
埋込データデコーダ１６３は、通信制御部１６０から入力されたデジタル音楽データを出力回路１６５へ出力するとともに、該デジタル音楽データに埋め込まれた埋込データをデコードし、埋込データ判定部１６４へ出力する。
【０１０５】
埋込データ判定部１６４は、埋込データデコーダ１６３から入力された埋込データの判定を行い、埋込データの第１ビットおよび第２，第３ビットの判定を行う。この判定について詳細に説明する。
【０１０６】
埋込データ判定部１６４は、まず、埋込データデコーダ１６３から入力された埋込データの第１ビットが「０」か「１」かを判定する。埋込データの第１ビットが「０」であった場合、該デジタル音楽データは、ネットワークＮを介して配信するためのデータとして正規に許諾され、著作権の保護に配慮されたデータではなく、パッケージメディアから読み取られたものである。従って、埋込データ判定部１６４は出力回路１６５に対し、デジタル音楽データの出力を停止する旨の指示を出力する。
【０１０７】
また、埋込データデコーダ１６３から入力された埋込データの第１ビットが「１」であった場合、該デジタル音楽データは正規の配信用のデータであるから、埋込データ判定部１６４は、埋込データの第２，第３ビットについての判定に移行する。
【０１０８】
そして、埋込データの第２，第３ビットが「００」であった場合、上記表２に示すように、該デジタル音楽データの複製に制限はないので、埋込データ判定部１６４は、出力回路１６５に対してデジタル音楽データを出力する旨の指示を出力する。また、埋込データの第２，第３ビットが「１０」であった場合、受信に係る音楽データの記録は許可され、埋込データ判定部１６４は出力回路１６５に対して、デジタル音楽データを出力する旨の指示を出力する。
【０１０９】
尚、一旦データ記録装置１５によって記録されたデジタル音楽データはその出力が制限され、他の記録媒体への出力は行われないように制御される。また埋込データの第２，第３ビットが「１１」であった場合、データ記録装置１５によって該デジタル音楽データを記録することは埋込データの制限に反するので、埋込データ判定部１６４は出力回路１６５に対し、デジタル音楽データの出力を停止する旨の指示を出力する。
【０１１０】
出力回路１６５は、埋込データ判定部１６４からデジタル音楽データを記録する旨の指示が出力された場合にのみ、記録用メディアドライブインターフェース１７１へデジタル音楽データを出力し、埋込データ判定部１３４からデジタル音楽データの出力を停止する旨の指示が入力された場合は、デジタル音楽データの出力を停止する。
【０１１１】
また、通信制御部１６０には、保護判定部１６１及び認証部１６２が接続されている。通信制御部１６０によって、ネットワークインターフェース１５４を介してデータを送受信する相手側機器が、著作権の保護に対応する認証処理を行うサーバ等であった場合、保護判定部１６１は、通信制御部１６０によって受信したデータを認証部１６２へ出力し、通信制御部１６０を介して認証処理を行わせる。そして、認証部１６２による認証が成功した場合には、通信制御部１６０によって受信されたデジタル音楽データは、認証部１６２を介して上記の暗号解読部１５７へ出力され、保護対応インターフェース１５３から入力されたデジタル音楽データと同様に処理される。
【０１１２】
再生用メディアドライブインターフェース１５５には、デジタル信号入力回路１６６が接続されている。デジタル信号入力回路１６６は、再生用メディアドライブ１５１（図１）にセットされた記録媒体に記録されたデジタル音楽データが再生用メディアドライブ１５１によって読み取られ、再生用メディアドライブインターフェース１５５から入力されると、該デジタル音楽データを埋込データデコーダ１６７へ出力する。
【０１１３】
埋込データデコーダ１６７は、デジタル信号入力回路１６６から入力されたデジタル音楽データをＳＣＭＳ読取部１６９へ出力するとともに、デジタル信号入力回路１６６から入力されたデジタル音楽データに埋め込まれた埋込データをデコードし、埋込データ・ＳＣＭＳ判定部１６８へ出力する。
ＳＣＭＳ読取部１６９は、埋込データデコーダ１６７から入力されたデジタル音楽データを出力回路１７０へ出力するとともに、埋込データデコーダ１６７から入力されたデジタル音楽データに付加されているＳＣＭＳ情報を読みとって、埋込データ・ＳＣＭＳ判定部１６８へ出力する。
【０１１４】
埋込データ・ＳＣＭＳ判定部１６８は、埋込データデコーダ１６７から入力された埋込データと、ＳＣＭＳ読取部１６９から入力されたＳＣＭＳ情報とについて判定を行う。
詳細には、埋込データ・ＳＣＭＳ判定部１６８は、まず、埋込データデコーダ１６７から入力された埋込データの第１ビットが「０」か「１」かを判定する。再生用メディアドライブインターフェース１５５から入力されるデジタル音楽データは、再生用メディアドライブ１５１によって記録媒体から読み取られたデータである。従って、第１ビットが「１」の場合は、再生用メディアドライブ１５１にセットされた記録媒体は正規のパッケージ販売された記録媒体ではないので、複製すべきではない。従って、埋込データ・ＳＣＭＳ判定部１６８は出力回路１７０に対し、デジタル音楽データの出力を停止する旨の指示を出力する。
【０１１５】
一方、埋込データデコーダ１６７から入力された埋込データの第２、第３ビットが「１０」の場合、埋込データ・ＳＣＭＳ判定部１６８は、ＳＣＭＳ読取部１６９から入力されたＳＣＭＳ情報の判定を行う。ここで、ＳＣＭＳ情報が「１０」以外の場合録音を行なわない様に制御される。
【０１１６】
例えば、ＳＣＭＳ情報が「００」であった場合、明らかに本来のＳＣＭＳ記号「１０」が違法に書換えられていると判断されるので、出力回路１７０に対し、デジタル音楽データの出力を停止する旨の指示を出力する。また、ＳＣＭＳ情報が「１１」であった場合にも、これは一度コピーされたものであり、ＳＣＭＳでは第二世代の複製は禁止されているため、埋込データ・ＳＣＭＳ判定部１６８は出力回路１７０に対し、デジタル音楽データの録音（記録）のための出力を停止する旨の指示を出力する。
【０１１７】
そして、ＳＣＭＳ情報が「１０」であった場合、一世代のみ複製が可能である。再生用メディアドライブ１５１にセットされた記録媒体はパッケージ販売されたものであるから、データ記録装置１５による複製は一世代目に該当し、複製可能である。従って、埋込データ・ＳＣＭＳ判定部１６８は出力回路１７０に対し、デジタル音楽データを出力する旨の指示を出力する。
【０１１８】
更に、埋込データの第２，第３ビットを判別し、「１０」である場合に、複製を許可するという制限を加えても良い。この場合、ＳＣＭＳ情報と埋込データが一致しないときには複製を禁止する制御が行え、違法複製をより強固に禁止できる。
【０１１９】
出力回路１７０は、埋込データ・ＳＣＭＳ判定部１６８からデジタル音楽データを出力する旨の指示が入力された場合にのみ、ＳＣＭＳ読取部１６９から入力されたデジタル音楽データを記録用メディアドライブインターフェース１７１へ出力し、埋込データ・ＳＣＭＳ判定部１６８からデジタル音楽データの出力を停止する旨の指示が入力された場合は、デジタル音楽データの出力を停止する。
【０１２０】
このように、配信装置１１によってネットワークＮを介して配信されるデジタル音楽データに対し、配信用のデータであることを示す埋込データを埋め込んでおき、データ記録装置１５においては、ネットワークＮを介して受信したデジタル音楽データについて、該デジタル音楽データに埋め込まれた埋込データを埋込データ判定部１６４で判定し、ＥＭＤ等により配信を行うために正規に許諾されたデジタル音楽データか否かを判定する。
【０１２１】
そして、ネットワークＮを介して受信したデジタル音楽データが配信用のデータであった場合は、埋込データの第２，第３ビットの判定を行う。そして、埋込データの第２，第３ビットを判定することにより、複製が許諾されているか否かを判別し、複製が許諾されている場合にのみ、デジタル音楽データを記録用メディアドライブ１５２へ出力する。また、ネットワークＮを介して受信したデジタル音楽データが、もともとパッケージ販売される記録媒体に記録されたデータであった場合は、デジタル音楽データを記録用メディアドライブ１５２へ出力しない。
【０１２２】
これにより、ネットワークＮを介して受信したデジタル音楽データについては、ネットワークを介して配信されるデータとして正規に許諾されたデータであり、かつ、複製が許諾されている場合に限り、記録用メディアドライブ１５２へデジタル音楽データを出力するので、著作権を無視した不正な複製を防止できる。
【０１２３】
また、データ再生装置１５によれば、保護対応インターフェース１５２を介して入力されたデジタル音楽データについては、該デジタル音楽データに付加されたＤＲＭ情報によって複製が許諾されている場合にのみ、記録用メディアドライブ１５２へデジタル音楽データを出力する。
【０１２４】
さらに、再生用メディアドライブ１５１にセットされた記録媒体から読み取られたデジタル音楽データについては、埋め込まれた埋込データとＳＣＭＳ情報とを判定し、記録媒体がパッケージ販売されたものであり、かつ、ＳＣＭＳ情報が一世代の複製のみを許諾している場合に限り、記録用メディアドライブ１５２へデジタル音楽データを出力する。このため、著作権の保護に対応するデジタル音楽データや、パッケージメディアに記録されたデジタル音楽データについては、著作権の保護に対応する場合に限って、記録用メディアドライブ１５２による記録を行う。
【０１２５】
これにより、著作権の保護に対応する保護対応インターフェース１５３を介して入力されたデジタル音楽データや、再生用メディアドライブ１５１にセットされた記録媒体に記録されたデジタル音楽データに対しても、著作権を無視した不正な複製を行ってしまうことがない。
【０１２６】
以上のように、本発明を適用した第１の実施の形態における配信システム１によれば、データ再生装置１２は、パッケージ販売されている記録媒体に記録されたデジタル音楽データがそのままネットワークＮを介して配信された場合には、該デジタル音楽データを再生しない。
【０１２７】
また、データ記録装置１５は、パッケージ販売されている記録媒体に記録されたものが、そのままネットワークＮを介して配信されたデジタル音楽データや、著作権の保護に対応した許諾を受けていない第三者が、埋込データやＳＣＭＳ情報を故意に改変してネットワークＮを介して配信したデジタル音楽データ、及び、パッケージ販売されている記録媒体に記録されたデジタル音楽データを複製して作成された記録媒体のデジタル音楽データについては、記録処理、すなわち記録媒体に複製する処理を行わない。
このため、デジタル音楽データの再生や記録に際して、著作権の保護に対応していない行為を誤って行ってしまうことがなく、著作権の保護にも寄与することができる。
【０１２８】
なお、上記第１の実施の形態において、図１にはデータ再生装置１２及びデータ記録装置１５は直接ネットワークＮに接続されているものとして図示したが、本発明はこれに限定されるものではなく、たとえば、データ再生装置１２及びデータ記録装置１５が、ネットワークＮに接続されたＬＡＮ（Ｌｏｃａｌ　Ａｒｅａ　Ｎｅｔｗｏｒｋ）に対して接続された構成であってもよいし、その他、具体的なネットワーク構成に関しては任意である。
【０１２９】
また、再生用メディアドライブ１２１、再生用メディアドライブ１５１及び記録用メディアドライブ１５２は、それぞれデータ再生装置１２及びデータ記録装置１５に外部接続される構成としたが、データ再生装置１２及びデータ記録装置１５に内蔵される構成としてもよい。さらに、データ再生装置１２とデータ記録装置１５の機能を統合して１個の機器とすることも勿論可能である。
【０１３０】
この場合、ほとんど共通の回路を利用可能であるので、データ記録装置１５の構成をデータ再生装置としても使用することが出来る。従ってデジタル出力端子１３９若しくはアナログ出力端子１４０への出力と、記録メディア用メディアドライブ１７１への出力とを、選択的に、または同時に出力する出力切換回路を備えるだけでよい。
【０１３１】
尚、このとき、再生用メディアドライブに入力される信号を再生する場合には、デジタル信号入力回路から出力されるデータは、埋込データデコーダ１６７及びＳＣＭＳ読取部１６９を単に通過して、デジタル出力回路，Ｄ／Ａコンバータに送られるように制御される。
【０１３２】
また、上記第１の実施の形態において、データ記録装置１５は、再生用メディアドライブ１５１にセットされた記録媒体から読み取られたデジタル音楽データについて、埋込データデコーダ１６７によって埋込データをデコードし、この埋込データについて埋込データ・ＳＣＭＳ判定部１６８で判定を行う構成とした。
【０１３３】
しかしながら、現在すでに市場に供給されたＣＤ等のパッケージメディアには、埋込データを含まないデジタル音楽データが記録されている。従って、データ記録装置１５において、再生用メディアドライブインターフェース１５５を介して入力されるデジタル音楽データについては埋込データの判定を行わないようにすることも可能である。以下、この例について、変形例として説明する。
【０１３４】
［変形例］
図４は、本発明を適用した第１の実施の形態における変形例として、データ記録装置１５ａの機能的構成を示すブロック図である。
図４に示すデータ記録装置１５ａは、図３に示すデータ記録装置１５において埋込データデコーダ１６７及び埋込データ・ＳＣＭＳ判定部１６８を省き、ＳＣＭＳ判定部１７２を新たに備えるものである。なお、埋込データ・ＳＣＭＳ判定部１６８及びＳＣＭＳ判定部１７２を除く各部については、データ記録装置１５ａはデータ記録装置１５（図３）と同様の構成によってなるものであるから、同符号を付して説明を省略する。
【０１３５】
データ記録装置１５ａにおいて、再生用メディアドライブインターフェース１５５に入力されたデジタル音楽データは、デジタル信号入力回路１６６によってＳＣＭＳ読取部１６９へ出力される。ここで、ＳＣＭＳ読取部１６９により、デジタル音楽データのＳＣＭＳ情報が読み取られ、ＳＣＭＳ判定部１７２へ出力される。
【０１３６】
ＳＣＭＳ判定部１７２は、ＳＣＭＳ読取部１６９から入力されたＳＣＭＳ情報について判定を行う。ここで、ＳＣＭＳ情報が「００」であった場合、複製に制限はないが、パッケージ販売されたデータとして複製に制限がないとは想定できない。従ってＳＣＭＳ情報が改ざんされたものであると判定して、ＳＣＭＳ判定部１７２は出力回路１７０に対し、デジタル音楽データの出力を停止する旨の指示を出力する。また、ＳＣＭＳ情報が「１１」であった場合、複製は禁止されているため、ＳＣＭＳ判定部１７２は出力回路１７０に対し、デジタル音楽データの出力を停止する旨の指示を出力する。
【０１３７】
また、ＳＣＭＳ情報が「１０」であった場合は、一世代のみ複製が可能である。再生用メディアドライブ１５１にセットされた記録媒体はパッケージ販売されたものであるから、データ記録装置１５による複製は一世代目に該当し、複製可能である。従って、ＳＣＭＳ判定部１７２は出力回路１７０に対し、デジタル音楽データを出力する旨の指示を出力する。
【０１３８】
従って、データ記録装置１５ａによれば、再生用メディアドライブ１５１にセットされた記録媒体に記録されたデジタル音楽データについては、ＳＣＭＳ情報に従って、著作権の保護に対応した複製を行うものである。このため、上記第１の実施の形態におけるデータ記録装置１５による効果に加えて、埋込データが埋め込まれていないデジタル音楽データについても、著作権を無視した不正な複製を行ってしまうことがない。
【０１３９】
尚、上述の実施の形態においては、埋込データの第１ビットに、配信のデータかパッケージメディアのデータかを識別するデータが埋め込まれているものとして説明したが、これに限定されるものではない。上述のごとく、パッケージメディアには埋込データを記録しない形態が実施された場合、配信用データに埋め込まれる埋込データは配信用データであることを識別できれば足り、これが識別されれば配信用データであると判定し、配信用データであることが識別されなければパッケージメディア用データであると判定することが可能である。つまりこの場合、配信用データに埋め込まれる埋込データにパッケージメディアのデータであることを識別するデータを規定しなくても、上述と同様に、違法な再生や複製，出力等を防止することが可能である。
【０１４０】
また、配信用のデジタル音楽データに対しては該デジタル音楽データが配信用のデータであることを示す埋込データが付加されず、パッケージメディアに記録されたデジタル音楽データにのみ、パッケージメディアに記録されていたことを示す埋込データが埋め込まれるようにすることも可能である。
【０１４１】
この場合、埋込データ判定部１３４，１６４や埋込データ・ＳＣＭＳ判定部１６８においては、パッケージメディアに記録されていたことを示す埋込データの有無を判別すれば良い。そして、パッケージメディアに記録されていたことを示す埋込データが埋め込まれていない場合に、このデジタル音楽データを配信用のデータと判別して、出力回路１３５，１６５，１７０からデジタル音楽データを出力させ、パッケージメディアに記録されていたことを示す埋込データが埋め込まれている場合に該デジタル音楽データの出力を禁止することにより、上記実施の形態と同様に、パッケージメディアのデータについて違法な再生や複製，出力等を防止することが可能である。
【０１４２】
さらには、上述の実施の形態で、埋込データ中に第２，第３ビットとして埋め込まれる複製管理用のデータを利用して、配信用のデータであるかパッケージメディア用のデータであるかを識別することも可能である。つまりパッケージメディアには埋込データが含まれない形態を想定した場合、配信用のデータに複製管理用のデータを埋込データとして記録することが規定されれば、結果として埋込データが存在するデータは全て配信用のデータであると判定することが可能であるからである。この場合も上述と同様に、違法な再生や複製，出力等を防止することが可能である。
【０１４３】
［第２の実施の形態］
続いて、本発明を適用した第２の実施の形態について説明する。
図５は、本発明を適用した第２の実施の形態における配信システム２の概略構成を示す図である。同図に示すように、配信システム２は、ネットワークＮと、ネットワークＮに接続される配信サーバ２１及び端末装置２３，２５によって構成される。
【０１４４】
本第２の実施の形態では、上記第１の実施の形態と同様に、配信システム２において、音楽データを配信、再生および記録する例について説明する。また、配信システム２において、配信、再生及び記録されるデジタル音楽データのうち、パッケージ販売されるＣＤやＤＶＤに記録されたデジタル音楽データには、ＳＣＭＳ情報（表１）が付加されており、さらに配信システム２において配信、再生および記録されるデジタル音楽データに、３ビットの埋込データ（表２）が埋め込まれていることについても、上記第１の実施の形態と同様である。
なお、以下では、端末装置２３，２５はいずれも同一の構成によってなるものであり、端末装置２３についてのみ説明する。また、ネットワークＮの構成については、上記第１の実施の形態と同様であるから、説明を省略する。
【０１４５】
図６は、配信システム２における配信サーバ２１の構成を示すブロック図である。同図に示すように、配信サーバ２１は、ＣＰＵ（Ｃｅｎｔｒａｌ　Ｐｒｏｃｅｓｓｉｎｇ　Ｕｎｉｔ　）２１１、ＲＡＭ（Ｒａｎｄｏｍ　Ａｃｃｅｓｓ　Ｍｅｍｏｒｙ）２１２、記憶装置２１３、記憶装置２１３が備える記憶媒体２１４、入力装置２１５及び通信制御装置２１６の各部を備えて構成され、記憶媒体２１４を除く各部はバス２１７に接続されている。
【０１４６】
図６に示すＣＰＵ２１１は、入力装置２１５から入力される指示に従って記憶媒体２１３に記憶された配信処理プログラムを読み出して実行し、配信サーバ２１の各部を制御して、後述する配信処理（図８）を実行する。この配信処理において、ＣＰＵ２１１は、ネットワークＮを介して端末装置２３から送信された配信要求を通信制御装置２１６によって受信すると、要求されたデジタル音楽データを記憶装置２１３から読み出すとともに、配信用のデータであることを示す埋込データをデジタル音楽データに埋め込んで、通信制御装置２１６およびネットワークＮを介して、端末装置２３へ送信する。
【０１４７】
ＲＡＭ２１２は、ＣＰＵ２１１により実行されるプログラム、及び、このプログラムに係るデータを一時的に格納するワークエリアを形成する。
【０１４８】
記憶装置２１３は、磁気的、光学的記録媒体、若しくは半導体メモリ等で構成される記憶媒体２１４を有し、この記憶媒体２１４に、配信処理プログラムを始めとする各種プログラムや、デジタル音楽データ等のデータを記憶する。なお、記憶媒体２１４に記憶するプログラムやデータ等は、その一部若しくは全部を他の機器から通信回線等を介して通信制御装置２１６から受信して記憶する構成にしてもよく、さらに、記憶媒体２１４はネットワークＮ等のネットワーク上に構築された他のサーバが有する記憶媒体であってもよい。
【０１４９】
入力装置２１５は、数字キー、文字キー、各種機能キー等を備えるキーボードや、マウスやタブレット等のポインティングデバイスを有しており、キーボード上で操作されたキーに対応する操作信号、若しくはポインティングデバイスの操作に伴う位置情報を含む操作信号をＣＰＵ２１１へ出力する。
【０１５０】
通信制御装置２１６は、モデム（ＭＯＤＥＭ：ＭＯｄｕｌａｔｏｒ／ＤＥＭｏｄｕｌａｔｏｒ　）、ＡＤＳＬ（Ａｓｙｍｍｅｔｒｉｃ　Ｄｉｇｉｔａｌ　Ｓｕｂｓｃｒｉｂｅｒ　Ｌｉｎｅ）モデムやスプリッタ、ケーブルモデム、ターミナルアダプタ（ＴＡ：Ｔｅｒｍｉｎａｌ　Ａｄａｐｔｅｒ）やＤＳＵ（Ｄｉｇｉｔａｌ　Ｓｅｒｖｉｃｅ　Ｕｎｉｔ）等によって構成され、電話回線、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線、ＡＤＳＬ回線、ケーブルテレビ回線、或いは光ファイバ等によってなる専用線等の通信回線を介して、ネットワークＮに接続された端末装置２３，２５等の外部機器との通信を行うための制御を行う。
【０１５１】
図７は、端末装置２３の構成を示すブロック図である。同図に示すように、端末装置２３は、ＣＰＵ２３１、ＲＡＭ２３２、記憶装置２３３、記憶装置２３３が備える記憶媒体２３４、通信制御装置２３５、入力装置２３６、表示装置２３７、音声出力装置２３８、再生用メディアドライブ２３９、記録用メディアドライブ２４０、及び保護対応インターフェース２４１の各部を備えて構成され、記憶媒体２３４を除く各部はバス２４２に接続されている。
【０１５２】
図７に示すＣＰＵ２３１は、入力装置２３６から入力される指示に従って記憶媒体２３３に記憶されたデータ再生処理プログラムを読み出して実行し、端末装置２３の各部を制御して、後述するデータ再生処理（図９）を実行する。このデータ再生処理において、ＣＰＵ２３１は、入力装置２３６から入力された指示により指定されたデジタル音楽データが、著作権の保護に対応する処理を経たデジタル音楽データか否かを判別し、著作権の保護に対応するように、指定されたデジタル音楽データを再生する処理を行う。
【０１５３】
また、ＣＰＵ２３１は、入力装置２３６から入力される指示に従って記憶媒体２３３に記憶されたデータ記録処理プログラムを読み出して実行し、端末装置２３の各部を制御して、後述するデータ記録処理（図１０）を実行する。このデータ記録処理において、ＣＰＵ２３１は、入力装置２３６から入力された指示により指定されたデジタル音楽データが、著作権の保護に対応する処理を経たデジタル音楽データか否かを判別し、著作権を無視しない範囲において、指定されたデジタル音楽データを、記録用メディアドライブ２４０にセットされた記録媒体に記録する処理を行う。
【０１５４】
ＲＡＭ２３２は、ＣＰＵ２３１により実行されるプログラム、及び、このプログラムに係るデータを一時的に格納するワークエリアを形成する。
【０１５５】
記憶装置２３３は、磁気的、光学的記憶媒体、若しくは半導体メモリ等で構成される記憶媒体２３４を有し、この記憶媒体２３４に、データ再生処理プログラムデータ記録処理プログラムを始めとする各種プログラムや、デジタル音楽データ等のデータを記憶する。なお、記憶媒体２３４に記憶するプログラムやデータ等は、その一部若しくは全部を他の機器から通信回線等を介して通信制御装置２３５から受信して記憶する構成にしてもよく、さらに、記憶媒体２３４はネットワークＮ等のネットワーク上に構築された他のサーバが有する記憶媒体であってもよい。
【０１５６】
通信制御装置２３５は、モデム、ＡＤＳＬモデムやスプリッタ、ケーブルモデム、ターミナルアダプタやＤＳＵ等によって構成され、電話回線、ＩＳＤＮ回線、ＡＤＳＬ回線、ケーブルテレビ回線、或いは光ファイバ等によってなる専用線等の通信回線を介して、ネットワークＮに接続された配信サーバ２１等の外部機器との通信を行うための制御を行う。
【０１５７】
入力装置２３６は、数字キー、文字キー、各種機能キー等を備えるキーボードや、マウスやタブレット等のポインティングデバイスを有しており、キーボード上で操作されたキーに対応する操作信号、若しくはポインティングデバイスの操作に伴う位置情報を含む操作信号をＣＰＵ２３１へ出力する。
【０１５８】
表示装置２３７は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等の表示画面を有しており、ＣＰＵ２３１により実行中のプログラムに関するデータや、入力装置２３６により入力された入力内容、ネットワークＮを経由して通信制御装置２３５により受信したデータ、端末装置２３の各部の動作状態に係るデータ等を上記の表示画面に表示する。
【０１５９】
音声出力装置２３８は、図示しないスピーカやアンプ等の音響機器に接続されており、後述するデータ再生処理においてＣＰＵ２３１から入力されるデジタル音楽データを、上記機器へ出力する。なお、音声出力装置２３８に接続された機器がアナログ音声信号を処理する機器であった場合、音声出力装置２３８はＤ／Ａコンバータとして機能し、ＣＰＵ２３１から入力されるデジタル音楽データをアナログ音声信号に変換して出力するものとしても良い。
【０１６０】
再生用メディアドライブ２３９は、ＣＤやＭＤ等の光学式記録媒体、ハードディスク等の磁気記録媒体、あるいは、半導体メモリを内蔵するカード型記録媒体を駆動し、これらの各種記録媒体に記録されたデータを読み取って、ＣＰＵ２３１へ出力する。
【０１６１】
記録用メディアドライブ２４０は、ＣＤやＭＤ等の光学式記録媒体、ハードディスク等の磁気記録媒体、あるいは、半導体メモリを内蔵するカード型記録媒体を駆動し、これら各種記録媒体に対して、ＣＰＵ２３１から入力されるデジタル音楽データを記録する。
【０１６２】
なお、再生用メディアドライブ２３９及び記録用メディアドライブ２４０において利用可能な記録媒体は、上記した記録媒体に限定されるものではなく、上記記録媒体に類するもの、および、今後実用化されるものについても勿論適用可能である。
【０１６３】
保護対応インターフェース２４１は、音楽データや映像データ等のデジタルコンテンツの著作権を保護するために策定された認証処理等に対応したインターフェースであって、たとえば、ＩＥＥＥ１３９４規格に準拠したものが挙げられる。保護対応インターフェース２４１を介して送受信されるデジタルコンテンツのデータは、暗号化された状態で送受信されるため、受信側の機器においては、正規の認証を得たハードウェア若しくはソフトウェアによって暗号を解読して、再生可能なデータ形式に変換した上で、再生等の処理を行わなければならない。また、保護対応インターフェース２４１を介して送受信されるデータには、著作権を保護するためのＤＲＭ情報が含まれている。
【０１６４】
次に、本第２の実施の形態における配信システム２の動作について説明する。
【０１６５】
図８は、配信サーバ２１により実行される配信処理を示すフローチャートである。図８に示す配信処理において、ＣＰＵ２１１は、端末装置２３からのネットワークＮを介して送信されたデータ送信要求を、通信制御装置２１６によって受信すると（ステップＳ１１）、受信した送信要求により指定されたデジタル音楽データを、記憶装置２１３から読み出す（ステップＳ１２）。
【０１６６】
次いで、ＣＰＵ２１１は、記憶装置２１３から読み出したデジタル音楽データに対し、配信用のデータであることを示す埋込データを埋め込む（ステップＳ１３）。このプロセスはストアして有る音楽データに元々埋め込みデータが存在する場合は省略可能である。なお、このステップＳ１３で埋込データを埋め込む処理において、埋込データの第１ビットは、配信用のデータであることを示す「１」とし、第２，第３ビットについては、処理対象のデジタル音楽データの著作権者により予め指定された内容となる。
【０１６７】
そして、ＣＰＵ２１１は、ステップＳ１３で埋込データを埋め込んだデジタル音楽データを、通信制御装置２１６によって、ネットワークＮを介して端末装置２３へ送信し（ステップＳ１４）、本処理を終了する。
【０１６８】
図９は、端末装置２３により実行されるデータ再生処理を示すフローチャートである。
【０１６９】
図９に示すデータ再生処理は、入力装置２３６から入力される指示に基づいて開始され、ＣＰＵ２３１は、ステップＳ２１において、入力装置２３６からの指示により再生が指示されたデジタル音楽データについて、著作権の保護に対応する処理を経たデータか否かを判別する。
【０１７０】
ここで、入力装置２３６からの指示により指定されたデジタル音楽データが、保護対応インターフェース２４１から入力されるデジタル音楽データである場合、若しくは、配信サーバ２１や図示しない他のサーバとの間で、著作権の保護に対応する認証処理を経て、ネットワークＮを経由して配信されたデジタル音楽データである場合には、ＣＰＵ２３１は、ステップＳ２２に移行する。
【０１７１】
ステップＳ２２において、ＣＰＵ２３１は、指定されたデジタル音楽データについて、著作権を保護するために暗号化されたデータを解読し、ステップＳ２３に移行する。ステップＳ２３で、ＣＰＵ２３１は、ステップＳ２２で解読されたデジタル音楽データに含まれるＤＲＭ情報を解析し、ＤＲＭ情報に従って再生処理を実行し、本処理を終了する。
【０１７２】
一方、ステップＳ２１で、入力装置２３６からの指示により指定されたデジタル音楽データが、著作権の保護に対応する処理を経たデータでない場合、ＣＰＵ２３１はステップＳ２４に移行して、指定されたデジタル音楽データが、ネットワークＮを介して配信されるデータであるか否かを判別する。
【０１７３】
ここで、指定されたデジタル音楽データがネットワークＮを介して配信されるデータである場合、ＣＰＵ２３１はステップＳ２５に移行して、通信制御装置２３５によって、ネットワークＮを介して配信サーバ２１（図５）へ送信要求を送信し、この送信要求に応じて配信サーバ２１から送信されるデジタル音楽データを受信する。
【０１７４】
続いて、ＣＰＵ２３１は、ステップＳ２６に移行して、ステップＳ２５で受信したデジタル音楽データに埋め込まれている埋込データを解読し、ステップＳ２７へ移行する。
【０１７５】
ステップＳ２７で、ＣＰＵ２３１は、ステップＳ２６で解読した埋込データが、配信用のデータであることを示すものか否かを判別する。上記表２に示すように、デジタル音楽データが配信用のデータである場合には、埋込データの第１ビットは「１」となる。従って、ステップＳ２７では、埋込データの第１ビットが「１」であるか否かが判別される。
【０１７６】
ステップＳ２７において、埋込データの第１ビットが「１」でない場合、若しくは、第１ビットが「１」の埋込データが発見されなかった場合には、ＣＰＵ２３１はステップＳ２８に移行して、該デジタル音楽データの再生を禁止する処理を行い、本処理を終了する。
【０１７７】
また、ステップＳ２７において、埋込データの第１ビットが「１」であった場合には、ＣＰＵ２３１はステップＳ２９に移行して、該デジタル音楽データを再生し、音声出力装置２３８によって音声を出力させて、本処理を終了する。
【０１７８】
さらに、ステップＳ２４において、指定されたデジタル音楽データがネットワークＮを介して配信されるデータでない場合には、ＣＰＵ２３１は、指定されたデータは再生用メディアドライブ２３９により駆動される記録媒体に記録されているものと判別し、ステップＳ２９に移行して該デジタル音楽データを再生して、本処理を終了する。
【０１７９】
従って、図９のデータ再生処理によれば、保護対応インターフェース２４１から入力されたデジタル音楽データや、著作権を保護する認証処理を経て受信されたデジタル音楽データ及び再生用メディアドライブ２３９にセットされた記録媒体に記録されたデジタル音楽データは、そのまま再生される。一方、ネットワークＮを経由して受信されたデジタル音楽データについては、埋込データの判別が行われ、配信用のデータであった場合にのみ再生が行われる。
【０１８０】
図１０は、端末装置２３により実行されるデータ記録処理を示すフローチャートである。
図１０に示すデータ記録処理は、入力装置２３６から入力される指示に基づいて開始され、ＣＰＵ２３１は、ステップＳ３１において、入力装置２３６からの指示により記録が指示されたデジタル音楽データについて、著作権の保護に対応する処理を経たデータか否かを判別する。
【０１８１】
ここで、入力装置２３６からの指示により指定されたデジタル音楽データが、保護対応インターフェース２４１から入力されるデジタル音楽データである場合、若しくは、配信サーバ２１や図示しない他のサーバとの間で、著作権の保護に対応する認証処理を経て、ネットワークＮを経由して配信されたデジタル音楽データである場合には、ＣＰＵ２３１は、ステップＳ３２に移行する。
【０１８２】
ステップＳ３２において、ＣＰＵ２３１は、指定されたデジタル音楽データについて、著作権を保護するために暗号化されたデータを解読し、ステップＳ３３に移行する。ステップＳ３３で、ＣＰＵ２３１は、ステップＳ２２で解読されたデジタル音楽データに含まれるＤＲＭ情報を解析する。
【０１８３】
このステップＳ３３で、ＤＲＭ情報が、複製を禁止する内容（Ｎｅｖｅｒ　Ｃｏｐｙ）であった場合、ＣＰＵ２３１はステップＳ３４に移行して、該デジタル音楽データの記録を禁止する処理を行い、本処理を終了する。
一方、ステップＳ３３で、ＤＲＭ情報が一世代の複製のみ許諾する内容（１Ｇ．　Ｃｏｐｙ）であった場合、及び、ＤＲＭ情報が複製に関して制限を設けていない場合（Ｃｏｐｙ　Ｆｒｅｅ　）、ＣＰＵ２３１は、後述するステップＳ４３に移行して、デジタル音楽データを記録用メディアドライブ２４０へ出力し、デジタル音楽データの記録を行わせる。
【０１８４】
また、ステップＳ３１で、入力装置２３６からの指示により指定されたデジタル音楽データが、著作権の保護に対応する処理を経たデータでない場合、ＣＰＵ２３１はステップＳ３５に移行して、指定されたデジタル音楽データが、ネットワークＮを介して入力されるデータであるか否かを判別する。
【０１８５】
ここで、指定されたデジタル音楽データがネットワークＮを介して入力されるデータである場合、ＣＰＵ２３１はステップＳ３６に移行して、通信制御装置２３５によって、ネットワークＮを介して配信サーバ２１（図５）へ送信要求を送信し、この送信要求に応じて配信サーバ２１から送信されるデジタル音楽データを受信する。
【０１８６】
続いて、ＣＰＵ２３１は、ステップＳ３７に移行して、ステップＳ２５で受信したデジタル音楽データに埋め込まれている埋込データを解読し、ステップＳ３８へ移行する。
【０１８７】
ステップＳ３８で、ＣＰＵ２３１は、ステップＳ３７で解読した埋込データのうち第１ビット（表２）が、配信用のデータであることを示すものか否かを判別する。上記表２に示すように、デジタル音楽データが配信用のデータである場合には、埋込データの第１ビットは「１」となる。従って、ステップＳ３７では、埋込データの第１ビットが「１」であるか否かが判別される。
【０１８８】
そして、ステップＳ３８における判別の結果、埋込データの第１ビットが「１」でない場合、若しくは第１ビットが「１」の埋込データが発見されない場合には、ＣＰＵ２３１はステップＳ３４へ移行して記録を禁止する処理を行い、本処理を終了する。
【０１８９】
また、ステップＳ３８において、埋込データの第１ビットが「１」であった場合には、ＣＰＵ２３１はステップＳ３９に移行して、埋込データの第２，第３ビット、すなわち、複製の制限を示す埋込データを判別する。
そして、埋込データの第２，第３ビットが「００」（Ｃｏｐｙ　Ｆｒｅｅ　）であった場合には、複製が制限されないので、ステップＳ４３に移行して、記録用メディアドライブ２４０によってデジタル音楽データを記録させて本処理を終了する。
【０１９０】
ステップＳ３９で、埋込データの第２，第３ビットが「１０」（１Ｇ．　Ｃｏｐｙ）であった場合、ステップ４３に移行して記録を実行するが、以後、他の記録装置等へのデジタルデータの出力が禁止されるよう制御されることとなる。また、埋込データの第２，第３ビットが「１１」（Ｎｅｖｅｒ　Ｃｏｐｙ）であった場合には、ＣＰＵ２３１はステップＳ３４へ移行して、このデジタル音楽データの記録を禁止する処理を行って、本処理を終了する。
【０１９１】
さらに、ステップＳ３５において、指定されたデジタル音楽データがネットワークＮを介して配信されるデータでない場合には、ＣＰＵ２３１は、指定されたデータは再生用メディアドライブ２３９により駆動される記録媒体に記録されているものと判別し、ステップＳ４０に移行する。
【０１９２】
ステップＳ４０で、ＣＰＵ２３１は、デジタル音楽データに埋め込まれている埋込データを解読してステップＳ４１に移行し、埋込データの第２，第３ビット、すなわち、複製の制限を示す埋込データを判別する。
そして、埋込データの第２，第３ビットが「００」（Ｃｏｐｙ　Ｆｒｅｅ　）であった場合には、複製が制限されないので、ステップＳ４３に移行して、記録用メディアドライブ２４０によってデジタル音楽データを記録させ、本処理を終了する。
【０１９３】
また、ステップＳ４１で、埋込データの第２，第３ビットが「１１」（Ｎｅｖｅｒ　Ｃｏｐｙ）であった場合には、ＣＰＵ２３１はステップＳ３４へ移行して、該デジタル音楽データの記録を禁止する処理を行って、本処理を終了する。
【０１９４】
一方、ステップＳ４１で、埋込データの第２，第３ビットが「１０」（１Ｇ．　Ｃｏｐｙ）であった場合、ＣＰＵ２３１はステップＳ４２に移行し、該デジタル音楽データに付加されているＳＣＭＳ情報の判別を行う。
【０１９５】
ここで、ＳＣＭＳ情報が「１０」（１Ｇ．　Ｃｏｐｙ）であった場合、一世代のみ複製が許諾されているので、ＣＰＵ２３１はステップＳ４３に移行して、記録用メディアドライブ２４０によってデジタル音楽データを記録させ、本処理を終了する。尚、ステップ４１で埋込データの第２，第３ビットが「００」（Ｃｏｐｙ　Ｆｒｅｅ）であった場合にも、ステップ４２に移行してＳＣＭＳ情報の判別を行うようにしても良い。
【０１９６】
また、ステップＳ４２において、ＳＣＭＳ情報が「００」（Ｃｏｐｙ　Ｆｒｅｅ　）であった場合、すなわちＳＣＭＳ情報が改ざんされたものであると判定される場合、及び、ＳＣＭＳ情報が「１１」（Ｎｅｖｅｒ　Ｃｏｐｙ）であった場合には、ＣＰＵ２３１はステップＳ３４へ移行して、該デジタル音楽データの記録を禁止する処理を行って、本処理を終了する。
【０１９７】
従って、図１０に示すデータ記録処理によれば、保護対応インターフェース２４１から入力されたデジタル音楽データ及び著作権を保護する認証処理を経て受信されたデジタル音楽データについては、ＤＲＭ情報が示す複製制限に基づいて、デジタル音楽データの記録処理が行われる。
【０１９８】
また、ネットワークＮを経由して受信されたデジタル音楽データについては、埋込データの判別が行われ、埋込データの第１ビットが配信用のデータであることを示し、かつ、埋込データの第２，第３ビットが複製を許諾している場合にのみ、デジタル音楽データの記録処理が行われる。
【０１９９】
さらに、再生用メディアドライブ２３９にセットされた記録媒体に記録されたデジタル音楽データについては、埋込データの第２，第３ビットが複製に関する制限がないことを示している場合には、そのまま記録処理を行うとともに、埋込データの第２，第３ビットが一世代の複製のみを許諾し、かつ、ＳＣＭＳ情報が一世代の複製のみを許諾している場合に、記録処理を行う。
【０２００】
以上のように、本発明を適用した第２の実施の形態における配信システム２によれば、配信サーバ２１によって、デジタル音楽データをネットワークＮを介して配信する際には、埋込データとして、配信用のデータであることを示すデータをデジタル音楽データに埋め込んで配信する。
【０２０１】
そして、端末装置２３においてデジタル音楽データを再生する際には、著作権を保護する認証処理を経たデジタル音楽データや再生用メディアドライブ２３９にセットされた記録媒体に記録されているデジタル音楽データは、そのまま再生される一方、ネットワークＮを経由して受信されたデジタル音楽データについては埋込データの判別が行われ、配信用のデータであった場合にのみ再生が行われる。
【０２０２】
さらに、端末装置２３によって、デジタル音楽データを記録、すなわち複製する場合には、著作権を保護する認証処理を経て受信されたデジタル音楽データについてはＤＲＭ情報が示す複製制限に基づいて記録処理が行われ、ネットワークＮを経由して受信されたデジタル音楽データについては、埋込データの第１ビットが配信用のデータであることを示し、かつ、埋込データの第２，第３ビットが複製を許諾している場合にのみ、記録処理が行われる。
【０２０３】
さらに、再生用メディアドライブ２３９にセットされた記録媒体に記録されたデジタル音楽データについては、埋込データの第２，第３ビットが複製に関する制限がないことを示している場合、及び、埋込データの第２，第３ビットとＳＣＭＳ情報の両方が一世代の複製のみを許諾している場合に、記録処理を行う。
【０２０４】
これにより、パッケージ販売されている記録媒体に記録されたデジタル音楽データがそのままネットワークＮを介して配信された場合には、該デジタル音楽データを再生しない。また、パッケージ販売されている記録媒体に記録されたものが、そのままネットワークＮを介して配信されたデジタル音楽データや、著作権の保護に対応した許諾を受けていない第三者が、埋込データやＳＣＭＳ情報を故意に改変してネットワークＮを介して配信したデジタル音楽データ及びパッケージ販売されている記録媒体に記録されたデジタル音楽データを複製して作成された記録媒体のデジタル音楽データについては、記録処理、すなわち記録媒体に複製する処理を行わない。
このため、デジタル音楽データの再生や記録に際して、著作権を無視した不正な行為を防止し、著作権の保護にも寄与することができる。
【０２０５】
なお、端末装置２３においては、上述したデータ再生処理、データ記録処理の他、通信制御装置２３５を用いてデータを配信することも可能である。ここで、端末装置２３を利用して、ネットワークＮを介してデータを配信する例について説明する。
【０２０６】
図１１は、端末装置２３により実行されるデータ配信処理を示すフローチャートである。
図１１のステップＳ５１において、ＣＰＵ２３１は、ステップＳ５１で、入力装置２３６からの指示により配信が指示されたデジタル音楽データを読み出すとともに、ステップＳ５２に移行して、指示されたデジタル音楽データがパッケージメディアのデータか否かを判別する。
【０２０７】
すなわち、ステップＳ５２において、ＣＰＵ２３１は、配信を指示されたデジタル音楽データが、記憶装置２３３に記憶され、或いはネットワークＮから受信された配信用のデータか、或いは、再生用メディアドライブ２３９にセットされたパッケージメディアに記録されているデータかを判別する。
【０２０８】
そして、ステップＳ５２において、指示されたデジタル音楽データがパッケージメディアに記録されたデジタル音楽データでない場合であって複製が制限されていない場合、ＣＰＵ２３１は、ステップＳ５４へ移行し、該デジタル音楽データをネットワークＮを介して送信し、本処理を終了する。つまり配信用データであるデジタル音楽データであっても、複製の制限が一世代のみ許諾されている場合、本端末装置２３への記録を第一世代の複製とみなして、他の機器への送信は禁止されることとなる。
【０２０９】
一方、ステップＳ５２において、指示されたデジタル音楽データがパッケージメディアに記録されたデジタル音楽データであった場合、ＣＰＵ２３１は、ステップＳ５３へ移行し、パッケージメディアであることを示す埋込データを生成して、該デジタル音楽データに埋め込み、ステップＳ５４へ移行する。
【０２１０】
このデータ配信処理によれば、端末装置２３は、パッケージメディアに記録されたデジタル音楽データをネットワークＮへ配信する際には、パッケージメディアであることを示す埋込データを埋め込むので、パッケージメディアのデジタル音楽データがネットワークＮを介して配信された場合に、際限なく複製される事態を防止できる。
【０２１１】
また、端末装置２３によれば、ネットワークＮを介して受信されたデジタル音楽データを、埋込データに基づいて、ネットワークＮへ送信することも可能である。ここで、デジタル音楽データに埋め込まれている埋込データに基づいて、デジタル音楽データを送信する処理について説明する。
【０２１２】
図１２は、端末装置２３により実行されるデータ送信処理を示すフローチャートである。
図１２に示す送信処理のステップＳ６１において、ＣＰＵ２３１は、ネットワークＮへ送信するデジタル音楽データについて、埋め込まれている埋込データを解読し、ステップＳ６２へ移行する。
【０２１３】
ステップＳ６２で、ＣＰＵ２３１は、ステップＳ６１で解読した埋込データのうち第１ビット（表２）が、配信用のデータであることを示すものか否かを判別する。上記表２に示すように、デジタル音楽データが配信用のデータである場合には、埋込データの第１ビットは「１」となる。従って、ステップＳ６２では、埋込データの第１ビットが「１」であるか否かが判別される。
【０２１４】
そして、ステップＳ６２における判別の結果、埋込データの第１ビットが「１」でない場合、若しくは第１ビットが「１」の埋込データが発見されない場合には、ＣＰＵ２３１はステップＳ６３へ移行して送信を禁止する処理を行い、本処理を終了する。
【０２１５】
また、ステップＳ６２において、埋込データの第１ビットが「１」であった場合には、ＣＰＵ２３１はステップＳ６４に移行して、埋込データの第２，第３ビット、すなわち、複製の制限を示す埋込データを判別する。
そして、埋込データの第２，第３ビットが「００」（Ｃｏｐｙ　Ｆｒｅｅ　）であった場合には、複製が制限されないので、ステップＳ６５に移行して、通信制御装置２３５によってデジタル音楽データをネットワークＮへ送信させ、本処理を終了する。
【０２１６】
ステップＳ６４で、埋込データの第２，第３ビットが「１０」（１Ｇ．　Ｃｏｐｙ）であった場合、および、埋込データの第２，第３ビットが「１１」（Ｎｅｖｅｒ　Ｃｏｐｙ）であった場合、ＣＰＵ２３１はステップ６３に移行して、該デジタル音楽データの送信を禁止する処理を行って、本処理を終了する。
【０２１７】
従って、図１２に示すデータ送信処理によれば、ネットワークＮを経由してデジタル音楽データが送信される際に、埋込データの判別が行われ、埋込データの第１ビットが配信用のデータであることを示し、かつ、埋込データの第２，第３ビットが複製を制限しない場合にのみ、デジタル音楽データが送信される。
【０２１８】
すなわち、ネットワークＮを介して配信サーバ２１から送信されたデジタル音楽データは、端末装置２３によって受信された時点で一度複製されたものと見なされる。このため、一世代に限って複製が許諾されているデジタル音楽データは、端末装置２３からネットワークＮへ送信されることがなく、複製が制限されないデジタル音楽データのみが送信される。
【０２１９】
従って、端末装置２３によってデジタル音楽データをネットワークＮへ送信する場合においても、デジタル音楽データに埋め込まれた埋込データの制限に従って処理を行うので、デジタル音楽データがネットワークＮを介して配信され、制限を超えて複製される事態を防止できる。
【０２２０】
ここで、図１２に示す送信処理においては、端末装置２３によって受信されたデジタル音楽データを、そのままネットワークＮへ送信する場合と、端末装置２３によって受信されて記憶装置２３３に格納されたデジタル音楽データを送信する場合とのいずれにおいても適用することができる。
【０２２１】
なお、本第２の実施の形態において、端末装置２３により実行されるデータ再生処理においては、ネットワークＮを介して配信されるデータは、入力装置２３６により指定されてから受信するようにしたが、本発明はこれに限定されず、あらかじめネットワークＮを介してデジタル音楽データを受信し、記憶装置２３３に記憶しておくようにしても良い。これは、端末装置２３により実行されるデータ記録処理についても同様である。また、再生用メディアドライブ２３９や記録用メディアドライブ２４０については、端末装置２３に外部接続することも可能である。
【０２２２】
さらに、上記第１および第２の実施の形態においては、配信システム１，２にいてデジタル音楽データを処理する例について説明したが、本発明はこれに限定されるものではなく、静止画像データ、動画データ、文書データ、プログラムを構成するデータ等、デジタル形式で記録することが可能なデータであれば、全ての種類のデータについて適用することができる。
【０２２３】
また、デジタル音楽データに埋め込まれる埋込データについては、単に３ビットの構成としたが、本発明はこれに限定されず、より多くの情報を含むものとしても良い。たとえば、埋込データに、デジタル音楽データの著作権者を示すＩＤ情報を含ませる構成とし、埋込データに含まれるＩＤを解読するためには、正規の許諾を得た事業者により製造されたハードウェア若しくはソフトウェアが必要とされるようにしても良い。この場合、改ざんや不正な解読への耐性が増し、より確実に著作権を保護することが可能となる。
【０２２４】
【発明の効果】
本発明によれば、電子透かし情報や複製管理情報に基づき、通信回線を介して受信したコンテンツデータが配信用のコンテンツデータであることを識別して、適切に出力、再生、記録を行うことができる。これにより、コンテンツデータを処理する機器側で複雑な処理を行うことなく、また、コンテンツデータについて複雑な処理を施すことなく、コンテンツデータの著作権を保護することが可能となる。
【図面の簡単な説明】
【図１】本発明を適用した第１の実施の形態における配信システム１の概略構成を示す図である。
【図２】図１に示すデータ再生装置１２の機能的構成を示すブロック図である。
【図３】図１に示すデータ記録装置１５の機能的構成を示すブロック図である。
【図４】本発明を適用した第１の実施の形態の変形例として、データ記録装置１５ａの機能的構成を示すブロック図である。
【図５】本発明を適用した第２の実施の形態における配信システム２の概略構成を示す図である。
【図６】図５に示す配信サーバ２１の構成を示すブロック図である。
【図７】図５に示す端末装置２３の構成を示すブロック図である。
【図８】図５に示す配信サーバ２１により実行される配信処理を示すフローチャートである。
【図９】図５に示す端末装置２３により実行されるデータ再生処理を示すフローチャートである。
【図１０】図５に示す端末装置２３により実行されるデータ記録処理を示すフローチャートである。
【図１１】図５に示す端末装置２３により実行されるデータ配信処理を示すフローチャートである。
【図１２】図５に示す端末装置２３により実行されるデータ送信処理を示すフローチャートである。
【符号の説明】
１，２　配信システム
１１　配信装置
１２　データ再生装置
１５，１５ａ　データ記録装置
１２１，１５１　再生用メディアドライブ
１２２，１５３　保護対応インターフェース
１２３，１５４　ネットワークインターフェース
１２４，１５５　再生用メディアドライブインターフェース
１２５，１５６　相互認証部
１２６，１５７　暗号解読部
１２７，１５８　ＤＲＭ処理部
１２８，１５９，１３５，１６５，１７０　出力回路
１２９，１６０　通信制御部
１３０，１６１　保護判定部
１３１，１６２　認証部
１３２　受信データデコーダ
１３３，１６３　埋込データデコーダ
１３４，１６４　埋込データ判定部
１３６，１６６　デジタル信号入力回路
１３７　デジタル信号出力回路
１３８　Ｄ／Ａコンバータ
１３９　デジタル出力端子
１４０　アナログ出力端子
１６７　埋込データデコーダ
１６８　埋込データ・ＳＣＭＳ判定部
１６９　ＳＣＭＳ読取部
１７１　記録用メディアドライブインターフェース
２１　配信サーバ
２３，２５　端末装置
２１１，２３１　ＣＰＵ
２１２，２３２　ＲＡＭ
２１３，２３３　記憶装置
２１４，２３４　記憶媒体
２１５，２３６　入力装置
２１６，２３５　通信制御装置
２１７，２４２　バス
２３８　音声出力装置
２３９　再生用メディアドライブ
２４０　記録用メディアドライブ
２４１　保護対応インターフェース
Ｎ　ネットワーク
【図１】
2004139252.tif 000005
【図２】
2004139252.tif 000006
【図３】
2004139252.tif 000007
【図４】
2004139252.tif 000008
【図５】
2004139252.tif 000009
【図６】
2004139252.tif 000010
【図７】
2004139252.tif 000011
【図８】
2004139252.tif 000012
【図９】
2004139252.tif 000013
【図１０】
2004139252.tif 000014
【図１１】
2004139252.tif 000015
【図１２】
2004139252.tif 000016